(57)【要約】【課題】  本発明は、十分な気泡を液体に混入できるシャワーヘッドを提供することにある。【解決手段】  本発明は、液体に気泡を混入して気泡混入液体を発する気泡液発生手段４を備える。気泡液発生手段４は、気泡混入空所ＢＲ内に配置される整流駒１１１と、気泡混入空所ＢＲに空気を流入する複数の空気導入路１１２を備える。整流駒１１１は、散水円筒部９７内に固定される整流ノズル円板１１４と、整流ノズル円板１１４に形成され、液体を気泡混入空所ＢＲに噴射する複数の液絞り穴１１７と、整流ノズル円板１１４に形成され、気泡混入空所ＢＲ内に突出される複数の整流駒板１１６を備える。各整流駒板１１６は、散水ノズル板９６に混入隙間ＧＰを隔てて気泡混入空所ＢＲ内に突出される。各整流駒板１１６は、突出端１１６Ｄで各液絞り穴１１７から噴射される液体を乱流にする。【選択図】  図６０
2020010962.tif 000002
【特許請求の範囲】
【請求項１】
一端に開口され、液体が流入される流入路、及び他端に開口され、前記流入路から流入される前記液体を流出する流出路を有するシャワー本体と、
前記シャワー本体の他端に取付けられ、散水ノズル板、一方の筒端を前記散水ノズル板で閉塞して前記流出路側に突出され、前記流出路から流出された前記液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、
前記液体に空気を混入して気泡混入液体を発生する気泡液発生手段と、を含んで構成され、
前記気泡液発生手段は、
前記散水円筒部の前記気泡混入空所内に配置される整流駒と、
前記散水ノズルに形成され、前記気泡混入空所内に空気を流入する複数の空気導入路と、を備え、
前記整流駒は、
前記散水ノズル板に間隔を隔てて前記気泡混入空所内に配置され、他方の筒端を閉塞して前記散水円筒部に固定される整流ノズル円板と、
前記整流ノズル円板に形成され、前記散水ノズル板及び前記整流ノズル円板の間の前記気泡混入空所内に配置される複数の整流駒板と、
前記各整流駒板の間の前記整流ノズル円板に形成され、前記流出路から流出された前記液体を前記気泡混入空所内に噴射する複数の液絞り穴と、
を備え、
前記各液絞り穴は、
穴中心線を前記散水円筒部の筒中心線と平行に配置して、前記整流ノズル円板を貫通し、
前記整流駒板は、
前記整流ノズル円板から前記散水ノズルに向けて突出され、前記散水ノズル板に混入隙間を隔てて配置され、
前記整流ノズル円板の板中心線から前記散水円筒部に延在され、
前記散水ノズルに向けて突出する突出端側で前記液絞り穴から噴射される液体を乱流にして前記混入隙間に流出し、
前記各空気導入路は、
前記散水ノズルに開口され、
前記各整流駒板の突出端及び前記整流ノズル円板の間において、前記散水円筒部の筒中心線と直交する方向から前記散水円筒部を貫通して、前記気泡混入空所内に開口される
ことを特徴とするシャワーヘッド。
【請求項２】
前記各整流駒板は、
前記整流ノズル円板の周方向に等間隔を隔てて配置される
ことを特徴とする請求項１に記載のシャワーヘッド。
【請求項３】
前記整流駒は、
４つの前記整流駒板を備え、
４つの前記各整流駒板は、
前記整流ノズル円板の周方向に等間隔を隔てて配置される
ことを特徴とする請求項１に記載のシャワーヘッド。
【請求項４】
前記各整流駒板は、
矩形状に形成され、
前記整流ノズル円板の周方向に板厚を隔てて平行する矩形状の各整流板平面と、
前記各整流板駒の前記突出端から一方の前記整流板平面、及び前記整流ノズル円板に向けて延在されつつ傾斜される流れ傾斜面と、
を有する
ことを特徴とする請求項１乃至請求項３の何れかに記載のシャワーヘッド。
【請求項５】
前記各液絞り穴は、
前記整流ノズル円板の板中心線を中心として、円半径の異なる複数の円上に等間隔で複数配置される
ことを特徴とする請求項１乃至請求項４の何れかに記載のシャワーヘッド。
【請求項６】
前記各空気導入路は、
前記散水円筒部の周方向に等間隔を隔てて配置される
ことを特徴とする請求項１乃至請求項５の何れかに記載のシャワーヘッド。
【請求項７】
前記各空気導入路は、
前記整流ノズル円板に隣接して、前記気泡混入空所内に開口される
ことを特徴とする請求項１乃至請求項６の何れかに記載のシャワーヘッド。
【請求項８】
前記気泡液発生手段及び前記流出路の間、及び前記シャワー本体の前記流出路内に配置される流路切替手段と、
前記各気泡液噴射穴の外側の前記散水ノズル板に配置され、前記流路切替手段を通して流入される前記液体をミスト状の液滴にするミスト発生手段と、を備え、
前記ミスト発生手段は、
前記各気泡液噴射穴の外側の前記散水ノズル板を貫通して、前記散水ノズル板及び前記流路切替手段の間に開口される複数のミスト絞り穴と、
円錐渦巻き状に形成され、同一渦巻き状の複数の渦巻き面を有する複数のミストガイドと、を備え、
前記各ミスト絞り穴は、
前記流出路側から縮径しつつ前記散水ノズル板を貫通する円錐穴に形成され、
前記各渦巻き面は、
前記ミストガイドの円錐側面に交差して円錐底平面及び円錐上面の間に配置され、
前記円錐底平面から前記円錐上面に向けて縮径しつつ渦巻き状に形成され、
前記各ミストガイドは、
前記円錐側面及び前記ミスト絞り穴の円錐内周面の間に隙間を隔てて、前記円錐上面から前記各ミスト絞り穴内に挿入され、
前記各渦巻き面及び前記円錐内周面の間に、渦巻き状の複数のミスト流路を形成して、前記各ミスト絞り穴内に装着され、
前記各ミスト流路は、
前記ミスト絞り穴内に開口され、前記散水ノズル及び前記流路切替手段の間に開口され、
前記流路切替手段は、
前記各液絞り穴及び前記流出路を接続し、又は前記各ミスト絞り穴及び前記流出路を接続する
ことを特徴とする請求項１乃至請求項７の何れかに記載のシャワーヘッド。
【請求項９】
前記ミスト発生手段は、
円錐渦巻き状に形成され、同一渦巻き状の第１及び第２渦巻き面を有する複数のミストガイドを備え、
前記第１及び第２渦巻き面は、
前記ミストガイドの円錐側面に交差して前記円錐底平面及び前記円錐上面の間に配置され、
前記ミストガイドの円錐中心線を対称点として点対称に配置され、
前記円錐底平面から前記円錐上面に向けて縮径しつつ渦巻き状に形成され、
前記各ミストガイドは、
前記円錐側面及び前記ミスト絞り穴の円錐内周面の間に隙間を隔てて、前記円錐上面から前記各ミスト絞り穴内に挿入され、
前記第１及び第２渦巻き面及び前記円錐内周面の間に、渦巻き状の第１及び第２ミスト流路を形成し、
前記第１及び第２ミスト流路は、
前記ミスト絞り穴内に開口され、前記散水ノズル及び前記流路切替手段の間に開口される
ことを特徴とする請求項８に記載のシャワーヘッド。
【請求項１０】
前記各ミスト絞り穴は、
前記散水円筒部の筒中心線を中心として、前記各気泡液噴射穴の外側に位置する円上に等間隔を隔てて配置される
ことを特徴とする請求項８及び請求項９の何れかに記載のシャワーヘッド。
【請求項１１】
前記ミスト発生手段は、
前記各ミスト絞り穴を配置した円と同一の円半径のガイドリングを備え、
前記各ミストガイドは、
前記ガイドリングの周方向に等間隔を隔てて配置され、
前記円錐底平面を前記ガイドリング上に当接して、前記ガイドリングに一体に固定され、
前記ガイドリングは、
他方の筒端から前記散水円筒部に外嵌されて、前記各気泡液噴射穴の外側に配置され、
前記各ミストガイドの前記各ミスト絞り穴内への挿入に伴って。前記流出路側から前記散水ノズル板に当接される
ことを特徴とする請求項１０に記載のシャワーヘッド。
【請求項１２】
一端に開口され、液体が流入される流入路、及び他端に開口され、前記流入路から流入される前記液体を流出する流出路を有するシャワー本体と、
前記シャワー本体の他端に取付けられる散水ノズルと、
前記散水ノズルに配置され、前記流出路から流出された前記液体をミスト状の液滴にするミスト発生手段と、を含んで構成され、
前記ミスト発生手段は、
前記散水ノズルを貫通して、前記流出路に連通される複数のミスト絞り穴と、
円錐渦巻き状に形成され、同一渦巻き状の複数の渦巻き面を有する複数のミストガイドと、を備え、
前記各ミスト絞り穴は、
前記流出路側から縮径しつつ前記散水ノズルを貫通する円錐穴に形成され、
前記各渦巻き面は、
前記ミストガイドの円錐側面に交差して円錐底平面及び円錐上面の間に配置され、
前記円錐底平面から前記円錐上面に向けて縮径しつつ渦巻き状に形成され、
前記各ミストガイドは、
前記円錐側面及び前記ミスト絞り穴の円錐内周面の間に隙間を隔てて、前記円錐上面から前記各ミスト絞り穴内に挿入され、
前記各渦巻き面及び前記円錐内周面の間に、渦巻き状の複数のミスト流路を形成して、前記各ミスト絞り穴内に装着され、
前記各ミスト流路は、
前記ミスト絞り穴内に開口され、前記流出路に連通される
ことを特徴とするシャワーヘッド。
【請求項１３】
前記ミスト発生手段は、
円錐渦巻き状に形成され、同一渦巻き状の第１及び第２渦巻き面を有する複数のミストガイドを備え、
前記第１及び第２渦巻き面は、
前記ミストガイドの円錐側面に交差して前記円錐底平面及び前記円錐上面の間に配置され、
前記ミストガイドの円錐中心線を対称点として点対称に配置され、
前記円錐底平面から前記円錐上面に向けて縮径しつつ渦巻き状に形成され、
前記ミストガイドは、
前記円錐側面及び前記ミスト絞り穴の円錐内周面の間に隙間を隔てて、前記円錐上面から前記各ミスト絞り穴内に挿入され、
前記第１及び第２渦巻き面及び前記円錐内周面の間に、渦巻き状の第１及び第２ミスト流路を形成し、
前記第１及び第２ミスト流路は、
前記ミスト絞り穴内に開口され、前記流出路に連通される
ことを特徴とする請求項１２に記載のシャワーヘッド。
【発明の詳細な説明】
【技術分野】
【０００１】
本発明は、液体に空気（気泡）を混入して気泡混入液体とし、又は液体から気泡を混入したミスト状の液滴にして、気泡混入液体又はミスト状の液滴を噴射するシャワーヘッドに関する。
【背景技術】
【０００２】
液体に空気を混入する技術として、特許文献１は、シャワー装置を開示する。シャワー装置は、複数のノズル部から液体を縮小テーパ部に噴射する。各ノズル部から液体を噴射すると、空気吸入口から空気が縮小テーパ部に導入される。
特許文献１のシャワー装置では、液体及び空気を縮小テーパ部に衝突することで、気泡を液体に混入する。
【先行技術文献】
【特許文献】
【０００３】
【特許文献１】特開２００２−１０２１００号公報
【発明の概要】
【発明が解決しようとする課題】
【０００４】
しかし、特許文献１では、液体及び空気を縮小テーパ部に衝突して、気泡を液体に混入しているので、十分な気泡を液体に混入できない虞がある。
【０００５】
本発明は、十分な気泡を液体に混入できるシャワーヘッドを提供することにある。
本発明は、液体から気泡を混入したミスト状の液敵にするシャワーヘッドを提供することにある。
【課題を解決するための手段】
【０００６】
本発明に係る請求項１は、一端に開口され、液体が流入される流入路、及び他端に開口され、前記流入路から流入される前記液体を流出する流出路を有するシャワー本体と、
前記シャワー本体の他端に取付けられ、散水ノズル板、一方の筒端を前記散水ノズル板で閉塞して前記流出路側に突出され、前記流出路から流出された前記液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、前記液体に空気を混入して気泡混入液体を発生する気泡液発生手段と、を含んで構成され、前記気泡液発生手段は、前記散水円筒部の前記気泡混入空所内に配置される整流駒と、前記散水ノズルに形成され、前記気泡混入空所内に空気を流入する複数の空気導入路と、を備え、前記整流駒は、前記散水ノズル板に間隔を隔てて前記気泡混入空所内に配置され、他方の筒端を閉塞して前記散水円筒部に固定される整流ノズル円板と、前記整流ノズル円板に形成され、前記散水ノズル板及び前記整流ノズル円板の間の前記気泡混入空所内に配置される複数の整流駒板と、前記各整流駒板の間の前記整流ノズル円板に形成され、前記流出路から流出された前記液体を前記気泡混入空所内に噴射する複数の液絞り穴と、を備え、前記各液絞り穴は、穴中心線を前記散水円筒部の筒中心線と平行に配置して、前記整流ノズル円板を貫通し、前記整流駒板は、前記整流ノズル円板から前記散水ノズルに向けて突出され、前記散水ノズル板に混入隙間を隔てて配置され、前記整流ノズル円板の板中心線から前記散水円筒部に延在され、前記散水ノズルに向けて突出する突出端側で前記液絞り穴から噴射される液体を乱流にして前記混入隙間に流出し、前記各空気導入路は、前記散水ノズルに開口され、前記各整流駒板の突出端及び前記整流ノズル円板の間において、前記散水円筒部の筒中心線と直交する方向から前記散水円筒部を貫通して、前記気泡混入空所内に開口されることを特徴とするシャワーヘッドである。
【０００７】
本発明に係る請求項２は、前記各整流駒板は、前記整流ノズル円板の周方向に等間隔を隔てて配置されることを特徴とする請求項１に記載のシャワーヘッドである。
【０００８】
本発明に係る請求項３は、前記整流駒は、４つの前記整流駒板を備え、４つの前記各整流駒板は、前記整流ノズル円板の周方向に等間隔を隔てて配置されることを特徴とする請求項１に記載のシャワーヘッドである。
【０００９】
本発明に係る請求項４は、前記各整流駒板は、矩形状に形成され、前記整流ノズル円板の周方向に板厚を隔てて平行する矩形状の各整流板平面と、前記各整流板駒の前記突出端から一方の前記整流板平面、及び前記整流ノズル円板に向けて延在されつつ傾斜される流れ傾斜面と、を有することを特徴とする請求項１乃至請求項３の何れかに記載のシャワーヘッドである。
【００１０】
本発明に係る請求項５は、前記各液絞り穴は、前記整流ノズル円板の板中心線を中心として、円半径の異なる複数の円上に等間隔で複数配置されることを特徴とする請求項１乃至請求項４の何れかに記載のシャワーヘッドである。
【００１１】
本発明に係る請求項６は、前記各空気導入路は、前記散水円筒部の周方向に等間隔を隔てて配置されることを特徴とする請求項１乃至請求項５の何れかに記載のシャワーヘッドである。
【００１２】
本発明に係る請求項７は、前記各空気導入路は、前記整流ノズル円板に隣接して、前記気泡混入空所内に開口されることを特徴とする請求項１乃至請求項６の何れかに記載のシャワーヘッドである。
請求項７では、前記各空気導入路は、前記散水円筒部の周方向に等間隔を隔てて配置され、前記散水円筒部の周方向に前記各整流駒板の板幅より広い流路幅を有して、前記気泡混入空所内に開口される構成も採用できる。
【００１３】
本発明に係る請求項８は、前記気泡液発生手段及び前記流出路の間、及び前記シャワー本体の前記流出路内に配置される流路切替手段と、前記各気泡液噴射穴の外側の前記散水ノズル板に配置され、前記流路切替手段を通して流入される前記液体をミスト状の液滴にするミスト発生手段と、を備え、前記ミスト発生手段は、前記各気泡液噴射穴の外側の前記散水ノズル板を貫通して、前記散水ノズル板及び前記流路切替手段の間に開口される複数のミスト絞り穴と、円錐渦巻き状に形成され、同一渦巻き状の複数の渦巻き面を有する複数のミストガイドと、を備え、前記各ミスト絞り穴は、前記流出路側から縮径しつつ前記散水ノズル板を貫通する円錐穴に形成され、前記各渦巻き面は、前記ミストガイドの円錐側面に交差して円錐底平面及び円錐上面の間に配置され、前記円錐底平面から前記円錐上面に向けて縮径しつつ渦巻き状に形成され、前記各ミストガイドは、前記円錐側面及び前記ミスト絞り穴の円錐内周面の間に隙間を隔てて、前記円錐上面から前記各ミスト絞り穴内に挿入され、前記各渦巻き面及び前記円錐内周面の間に、渦巻き状の複数のミスト流路を形成して、前記各ミスト絞り穴内に装着され、前記各ミスト流路は、前記ミスト絞り穴内に開口され、前記散水ノズル及び前記流路切替手段の間に開口され、前記流路切替手段は、前記各液絞り穴及び前記流出路を接続し、又は前記各ミスト絞り穴及び前記流出路を接続する  ことを特徴とする請求項１乃至請求項７の何れかに記載のシャワーヘッドである。
【００１４】
本発明に係る請求項９は、前記ミスト発生手段は、円錐渦巻き状に形成され、同一渦巻き状の第１及び第２渦巻き面を有する複数のミストガイドを備え、前記第１及び第２渦巻き面は、前記ミストガイドの円錐側面に交差して前記円錐底平面及び前記円錐上面の間に配置され、前記ミストガイドの円錐中心線を対称点として点対称に配置され、前記円錐底平面から前記円錐上面に向けて縮径しつつ渦巻き状に形成され、前記各ミストガイドは、前記円錐側面及び前記ミスト絞り穴の円錐内周面の間に隙間を隔てて、前記円錐上面から前記各ミスト絞り穴内に挿入され、前記第１及び第２渦巻き面及び前記円錐内周面の間に、渦巻き状の第１及び第２ミスト流路を形成し、前記第１及び第２ミスト流路は、前記ミスト絞り穴内に開口され、前記散水ノズル及び前記流路切替手段の間に開口されることを特徴とする請求項８に記載のシャワーヘッドである。
【００１５】
本発明に係る請求項１０は、前記各ミスト絞り穴は、前記散水円筒部の筒中心線を中心として、前記各気泡液噴射穴の外側に位置する円上に等間隔を隔てて配置されることを特徴とする請求項８及び請求項９の何れかに記載のシャワーヘッドである。
【００１６】
本発明に係る請求項１１は、前記ミスト発生手段は、前記各ミスト絞り穴を配置した円と同一の円半径のガイドリングを備え、前記各ミストガイドは、前記ガイドリングの周方向に等間隔を隔てて配置され、前記円錐底平面を前記ガイドリング上に当接して、前記ガイドリングに一体に固定され、前記ガイドリングは、他方の筒端から前記散水円筒部に外嵌されて、前記各気泡液噴射穴の外側に配置され、前記各ミストガイドの前記各ミスト絞り穴内への挿入に伴って。前記流出路側から前記散水ノズル板に当接されることを特徴とする請求項１０に記載のシャワーヘッドである。
【００１７】
本発明に係る請求項１２は、一端に開口され、液体が流入される流入路、及び他端に開口され、前記流入路から流入される前記液体を流出する流出路を有するシャワー本体と、前記シャワー本体の他端に取付けられる散水ノズルと、前記散水ノズルに配置され、前記流出路から流出された前記液体をミスト状の液滴にするミスト発生手段と、を含んで構成され、前記ミスト発生手段は、前記散水ノズルを貫通して、前記流出路に連通される複数のミスト絞り穴と、円錐渦巻き状に形成され、同一渦巻き状の複数の渦巻き面を有する複数のミストガイドと、を備え、前記各ミスト絞り穴は、前記流出路側から縮径しつつ前記散水ノズルを貫通する円錐穴に形成され、前記各渦巻き面は、前記ミストガイドの円錐側面に交差して円錐底平面及び円錐上面の間に配置され、前記円錐底平面から前記円錐上面に向けて縮径しつつ渦巻き状に形成され、前記各ミストガイドは、前記円錐側面及び前記ミスト絞り穴の円錐内周面の間に隙間を隔てて、前記円錐上面から前記各ミスト絞り穴内に挿入され、前記各渦巻き面及び前記円錐内周面の間に、渦巻き状の複数のミスト流路を形成して、前記各ミスト絞り穴内に装着され、前記各ミスト流路は、前記ミスト絞り穴内に開口され、前記流出路に連通されることを特徴とするシャワーヘッドである。
【００１８】
本発明に係る請求項１３は、前記ミスト発生手段は、円錐渦巻き状に形成され、同一渦巻き状の第１及び第２渦巻き面を有する複数のミストガイドを備え、前記第１及び第２渦巻き面は、前記ミストガイドの円錐側面に交差して前記円錐底平面及び前記円錐上面の間に配置され、前記ミストガイドの円錐中心線を対称点として点対称に配置され、前記円錐底平面から前記円錐上面に向けて縮径しつつ渦巻き状に形成され、前記各ミストガイドは、前記円錐側面及び前記ミスト絞り穴の円錐内周面の間に隙間を隔てて、前記円錐上面から前記各ミスト絞り穴内に挿入され、前記第１及び第２渦巻き面及び前記円錐内周面の間に、渦巻き状の第１及び第２ミスト流路を形成し、前記第１及び第２ミスト流路は、前記ミスト絞り穴内に開口され、前記流出路に連通されることを特徴とする請求項１２に記載のシャワーヘッドである。
【発明の効果】
【００１９】
本発明に係る請求項１では、シャワー本体の一端から液体を流入路に流入し、流入路から流出路に液体を流入する。液体は、流出路から整流駒の各液絞り穴内に流出される。各液絞り穴は、流出路から流出された液体を気泡混入空所内に噴射する。各液絞り穴は、液体を散水ノズル板に向けて気泡混入空所内に噴射する。液体は、気泡混入空所内（散水円筒部内）において、散水円筒部の筒中心線と平行な流れ（整流）にて散水ノズル及び整流ノズル円板の間に噴射される。
気泡混入空所に液体を噴射すると、液体の流れによって、各空気導入路から空気が気泡混入空所内に導入される。空気は、各整流駒板の突出端及び整流ノズル円板の間の気泡混入空所内に流出（噴射）される。空気は、気泡混入空所内において、各整流駒板の間に流入（噴射）される。
各液絞り穴から噴射される液体、及び各空気導入路から流出（噴射）される空気は、気泡混入空所内にて混合される。気泡混入空所内において、液体及び空気は、各整流駒板の突出端側にて乱流となり、各整流駒板及び散水ノズル板の間に混入隙間に流出される、
これにより、気泡混入空所内の混入隙間において、液体に混合された空気は乱流によって、マイクロ単位の気泡（マイクロバブル）、及びナノ単位の気泡（ウルトラファインバブル）に粉砕（剪断）される。
マイクロ単位の気泡（マイクロバブル）及びナノ単位の気泡（ウルトラファインバブル）は、液体に混入及び溶け込む。
マイクロ単位の気泡（マイクロバブル）及びナノ単位の気泡（ウルトラファインバブル）の混入した気泡混入液体は、各気泡液噴射穴から外部に噴射される。
このように、請求項１では、整流駒の各液絞り穴、各整流駒板、及び各空気導入路によって、十分なマイクロ単位及びナノ単位の気泡（マイクロバブル、ウルトラファインバブル）を液体に混入、溶け込ませることができる。
なお、国際標準化機構（ＩＳＯ）の国際規格「ＩＳＯ２０４８０−１」には、１マイクロメート以上ル〜１００マイクロメートル（μｍ）の気泡を「マイクロバブル」、１マイクロメートル未満の気泡を「ウルトラファインバブル」と定めている（以下、同様）。
【００２０】
本発明に係る請求項２では、各液絞り穴から各整流駒板の間に液体を噴射できる。
【００２１】
本発明に係る請求項３では、各液絞り穴から４つの各整流駒板の間に液体を均等に噴射でき、４つの各整流駒板によって、十分なマイクロ単位及びナノ単位の気泡（マイクロバブル、ウルトラファインバブル）を液体に混入、溶け込ませることができる。
【００２２】
本発明に係る請求項４では、各整流駒板の流れ傾斜面によって、各液絞り穴から噴射される液体（整流）を各整流駒板の突出端に導くことで、液体及び空気を乱流として混入隙間に流出できる。
【００２３】
本発明に係る請求項５では、各液絞り穴から気泡混入空所の全体にわたって均等に液体を噴射できる。
【００２４】
本発明に係る請求項６では、各空気導入路から各整流駒板の間に均等に空気を流出（噴射）できる。
【００２５】
本発明に係る請求項７では、各空気導入路から整流ノズル円板に隣接して空気を気泡混入空所内に流出（噴射）でき、空気を各液絞り穴からの噴射と同時に液体に混合できる。
【００２６】
本発明に係る請求項８では、流路切替手段によって、各液絞り穴及び流出路を接続（連通）し、又は各ミスト絞り穴及び流出路を接続（連通）できる。
各ミスト絞り穴及び流出路を接続して、シャワー本体の一端から液体を流入路に流入し、流入路から流出路に液体を流入する。液体は、流出路から各ミスト絞り穴内に流出される。液体は、各ミスト絞り穴内において、渦巻き状の各ミスト流路を流れ、各ミスト絞り穴内に流出される。更に各ミスト絞り穴内からミスト状の液滴を外部に噴射する。
液体は、渦巻き状の各ミスト流路を流れることによって昇圧されて、各ミスト流路から各ミスト絞り穴内に噴射される。これにより、各ミスト流路から各ミスト絞り穴内に噴射される液体は、高圧で乱流となる。また、各ミスト絞り穴からミスト状の液滴が噴射されると、各ミスト絞り穴の出口側（ミスト状の液滴を噴射した側）で負圧状態になる。
各ミスト絞り穴の出口側を負圧状態にすることで、各ミスト流路から各ミスト絞り穴内に噴射された高圧及び乱流の液体は、各ミスト絞り穴の出口部分を通過する際、減圧による気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
気泡の混入したミスト状の液滴は、各ミスト絞り穴から外部に噴射される。
このように、請求項８では、各ミストガイド及び各ミスト絞り穴によって、マイクロ単位の気泡（マイクロバブル）及びナノ単位の気泡（ウルトラファインバルブ）の混入、溶け込んだミスト状の液滴を外部に噴射できる。
【００２７】
本発明に係る請求項９では、複数で最小のミスト流路（渦巻き面）によって、液体を十分なミスト状の液滴にできる。第１及び第２渦巻き面を点対称に配置することで、第１及び第２ミスト流路は、円錐上面にて対向（対峙）して配置される。
これにより、第１及び第２ミスト流路から各ミスト絞り穴内に噴射される高圧状態の液体を円錐上面にて相互に衝突することで、十分なマイクロ単位の気泡（マイクロバブル）及びナノ単位の気泡（ウルトラファインバブル）の混入、溶け込んだミスト状の液滴にできる。
【００２８】
本発明に係る請求項１０では、流出路から流出された液体を散水円筒部の周方向に均等に分散して、各ミスト絞り穴内（各ミスト流路内）に流入できる。
【００２９】
本発明に係る請求項１１では、各ミストガイドをガイドリングに固定しているので、流出路から各ミスト絞り穴内に液体を流入しても、各ミストガイドは、液体の流れによって、各ミスト絞り穴内に入り込まない。
【００３０】
本発明に係る請求項１２では、シャワー本体の一端から液体を流入路に流入し、流入路から流出路に液体を流入する。液体は、流出路から各ミスト絞り穴内に流出される。液体は、各ミスト絞り穴内において、渦巻き状の各ミスト流路を流れ、各ミスト絞り穴内に流出される。更に各ミスト絞り穴内からミスト状の液滴を外部に噴射する。
液体は、渦巻き状の各ミスト流路を流れることによって昇圧されて、各ミスト流路から各ミスト絞り穴内に噴射される。これにより、各ミスト流路から各ミスト絞り穴内に噴射される液体は、高圧で乱流となる。また、各ミスト絞り穴からミスト状の液滴が噴射されると、各ミスト絞り穴の出口側（ミスト状の液滴を噴射した側）で負圧状態になる。
各ミスト絞り穴の出口側を負圧状態にすることで、各ミスト流路から各ミスト絞り穴内に噴射された高圧及び乱流の液体は、各ミスト絞り穴の出口部分を通過する際、減圧による気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
気泡の混入したミスト状の液滴は、各ミスト絞り穴から外部に噴射される。
このように、請求項１２では、各ミストガイド及び各ミスト絞り穴によって、マイクロ単位の気泡（マイクロバブル）及びナノ単位の気泡（ウルトラファインバルブ）の混入、溶け込んだミスト状の液滴を外部に噴射できる。
【００３１】
本発明に係る請求項１３では、複数で最小のミスト流路（渦巻き面）によって、液体を十分なミスト状の液滴にできる。第１及び第２渦巻き面を点対称に配置することで、第１及び第２ミスト流路は、円錐上面にて対向（対峙）して配置される。
これにより、第１及び第２ミスト流路から各ミスト絞り穴内に噴射される高圧状態の液体を円錐上面にて相互に衝突することで、十分なマイクロ単位の気泡（マイクロバブル）及びナノ単位の気泡（ウルトラファインバブル）の混入、溶け込んだミスト状の液滴にできる。
【図面の簡単な説明】
【００３２】
【図１】シャワーヘッドを示す斜視図である（シャワー位置Ｐ１）。
【図２】図１のＡーＡ断面図である（シャワー位置Ｐ１）。
【図３】図２のＢ−Ｂ矢視図である（シャワー位置）。
【図４】シャワーヘッドにおいて、シャワー本体、流路切替手段（切替ハンドル、切替ベース、シールパッキン、各シールリング、切替弁座体、切替弁体、固定ボルトネジ、コイルバネ）、散水ノズル、気泡液発生手段（整流駒）、ミスト発生手段（ミストガイド、ガイドリング）を示す分解斜視図である。
【図５】シャワー本体を示す正面図である。
【図６】シャワー本体を示す側面図である。
【図７】シャワー本体を示す上面図である。
【図８】図７のＣ−Ｃ断面図である。
【図９】流路切替手段の切替ハンドルを示す図であって、（ａ）は上側斜視図、（ｂ）は下側斜視図である。
【図１０】流路切替手段の切替ハンドルを示す上面図である。
【図１１】流路切替手段の切替ハンドルを示す図であって、（ａ）は側面図、（ｂ）は図１０のＤ−Ｄ断面図である。
【図１２】流路切替手段の切替ハンドルを示す下面図である。
【図１３】流路切替手段の切替ベースを示す図であって、（ａ）は上側斜視図、（ｂ）は下側斜視図である。
【図１４】流路切替手段の切替ベースを示す図であって、（ａ）は上面図、（ｂ）は下面図である。
【図１５】流路切替手段の切替ベースを示す図であって、（ａ）は側面図、（ｂ）は図１４のＥ−Ｅ断面図である。
【図１６】流路切替手段の切替弁座体を示す図であって、（ａ）は上側斜視図、（ｂ）は下側斜視図である。
【図１７】流路切替手段の切替弁座体を示す図であって、（ａ）は上面図、（ｂ）は下面図である。
【図１８】流路切替手段の切替弁座体を示す図であって、（ａ）は側面図、（ｂ）は図１７（ａ）のＦ−Ｆ断面図である。
【図１９】流路切替手段の切替弁体を示す図であって、（ａ）は上側斜視図、（ｂ）は下側斜視図である。
【図２０】流路切替手段の切替弁体を示す上面図である。
【図２１】流路切替手段の切替弁体を示す図であって、（ａ）は各円筒弁体の関係を示す下面図、（ｂ）は第１及び第２ハンドル規制突部の関係を示す下面図である。
【図２２】流路切替手段の切替弁体を示す図であって、（ａ）は第１ハンドル規制突部から見た側面図、（ｂ）は第２ハンドル規制突部から見た側面図である。
【図２３】図２０のＧ−Ｇ断面図である。
【図２４】流路切替手段の切替弁体を示す図であって、（ａ）は図２０のＨ−Ｈ断面図、（ｂ）は図２０のＩ−Ｉ断面図である。
【図２５】図２２（ｂ）のＪ−Ｊ断面図である。
【図２６】流路切替手段のハンドルユニット（切替ハンドル及び切替ベース）を示す上面図である。
【図２７】流路切替手段のハンドルユニット（切替ハンドル及び切替ベース）を示す下面図である。
【図２８】流路切替手段のハンドルユニット（切替ハンドル及び切替ベース）を示す側面図である。
【図２９】図２６のＫ−Ｋ断面図である。
【図３０】流路切替手段のハンドルユニット（切替ハンドル及び切替ベース）をシャワー本体内に配置した状態を示す拡大断面図である。
【図３１】図３０のＬ―Ｌ矢視図である。
【図３２】図３０のＭ−Ｍ断面図である。
【図３３】流路切替手段の固定ボルトネジ、及びコイルバネをシャワー本体内に配置した状態を示す拡大断面図である。
【図３４】図３３のＮ−Ｎ矢視図である。
【図３５】流路切替手段の切替弁座体を切替ベース内（シャワー本体内）に配置した状態を示す拡大断面図である。
【図３６】図３５のＯ−Ｏ矢視図である。
【図３７】図３５のＰ−Ｐ断面図である。
【図３８】流路切替手段の切替弁体を切替ハンドル内（シャワー本体内）に配置した状態を示す拡大断面図である。
【図３９】図３８のＱ−Ｑ矢視覚図である。
【図４０】図３８のＲ−Ｒ断面図である。
【図４１】図３８のＳ−Ｓ断面図である。
【図４２】散水ノズルを示す図であって、（ａ）は上側斜視図、（ｂ）は下側斜視図である。
【図４３】散水ノズルを示す図であって、（ａ）は上面図、（ｂ）は図４３（ａ）の一部拡大図である。
【図４４】散水ノズルを示す図であって、（ａ）は側面図、（ｂ）は図４３（ａ）のＴ−Ｔ断面図である。
【図４５】散水ノズルを示す下面図である。
【図４６】気泡液発生手段の整流駒を示す図であって、（ａ）は上側斜視図、（ｂ）は下側斜視図である。
【図４７】気泡液発生手段の整流駒を示す図であって、（ａ）は上面図、（ｂ）は図４６（ａ）の一部拡大図である。
【図４８】気泡液発生手段の整流駒を示す図であって、（ａ）は整流駒板、流れ傾斜面を示す上側斜視図、（ｂ）は側面図、（ｃ）は図４８（ｂ）の一部拡大図である。
【図４９】気泡液発生手段の整流駒を示す図であって、（ａ）は下面図、（ｂ）は図４７（ａ）のＵ−Ｕ断面図である。
【図５０】整流駒を散水ノズルに組込んだ状態を示す図であって、（ａ）は上面図、（ｂ）は下面図である。
【図５１】図５０（ａ）のＶ−Ｖ断面図であって、（ａ）は整流駒及び散水円筒部の関係を示す図、（ｂ）は整流駒板及び散水ノズル板の関係を示す図である。
【図５２】ミスト発生手段のミストリング体（ガイドリング及びミストガイド）を示す図であって、（ａ）は上側斜視図、（ｂ）は図５２（ａ）の一部拡大図である。
【図５３】ミスト発生手段のミストリング体（ガイドリング及びミストガイド）を示す下側斜視図である。
【図５４】ミスト発生手段のミストリング体（ガイドリング及びミストガイド）を示す図であって、（ａ）は上面図、（ｂ）は側面図である。
【図５５】ミスト発生手段のミストリング体（ガイドリング及びミストガイド）を示す図であって、（ａ）は下面図、（ｂ）は図５４（ａ）のＷ−Ｗ断面図である。
【図５６】ミストリング体（ガイドリンク及びミストガイド）を散水ノズルに組込んだ状態を示す図であって、（ａ）は上面図、（ｂ）は下面図である。
【図５７】ミストリング体（ガイドリング及びミストガイド）を散水ノズルに組込んだ状の図であって、（ａ）は図５６（ａ）のＸ−Ｘ断面図、（ｂ）は図５７（ａ）の一部拡大図である。
【図５８】図２の一部拡大図である（シャワー位置Ｐ１）。
【図５９】図２の一部拡大図である（シャワー位置Ｐ１）。
【図６０】図５９の一部拡大図である（シャワー位置Ｐ１）。
【図６１】シャワーベッドを示す斜視図である（ミスト位置Ｐ２）。
【図６２】図６１のａ−ａ一部拡大断面図である（ミスト位置Ｐ２）
【図６３】図６２のｂ−ｂ断面図である（ミスト位置Ｐ２）。
【図６４】図６２のｃ−ｃ断面図である（ミスト位置Ｐ２）。
【図６５】図６２のｄ−ｄ断面図である（ミスト位置Ｐ２）。
【図６６】図６２の一部拡大図であって、ミスト絞り穴及びミストガイドの関係を示す図である（ミスト位置Ｐ２）。
【図６７】『シャワー試験』において、実施例１の整流駒を示す図であって、（ａ）は上面図、（ｂ）は下面図である。
【図６８】『シャワー試験』において、実施例２の整流駒を示す図であって、（ａ）は上面図、（ｂ）は下面図である。
【図６９】『シャワー試験』において、実施例３の整流駒を示す図であって、（ａ）は上面図、（ｂ）は下面図である。
【発明を実施するための形態】
【００３３】
本発明に係るシャワーヘッドについて、図１乃至図６９を参照して説明する。
【００３４】
シャワーヘッドＸは、液体に空気（気泡）を混入して気泡混入液体を発生し、又は液体から気泡を混入したミスト状の液滴にして、気泡液混入液体又はミスト状（霧状）の液滴を噴射する。
液体は、水又は湯である（以下、同様）。気泡混入液体は、水又は湯に空気を混入した気泡混入水又は気泡混入湯であって、マイクロバブル又はウルトラファインバブルを混入した水又は湯である（以下、同様）。
【００３５】
シャワーベッドＸは、図１乃至図６５に示すように、シャワー本体１、流路切替手段２、散水ノズル３、気泡液発生手段４、及びミスト発生手段５を含んで備える。
【００３６】
シャワー本体１は、図１、図２、図４乃至図８に示すように、合成樹脂で形成される。シャワー本体１は、ハンドル部６及びヘッド部７を備え、ハンドル部６及びヘッド部７を一体に形成して構成される。ハンドル部６は、円筒状に形成され、ヘッド部７は、半球状に形成される。
【００３７】
ヘッド部７は、図５乃至図８に示すように、半球端７Ａ側をハンドル部６の他端６Ｂに位置して配置される。ヘッド部７は、ハンドル部６側に傾けてハンドル部６の他端６Ｂに固定される。
ヘッド部７は、図５及び図８に示すように、シャワー空間７Ｃ、及びシャワー円筒部８を有する。
【００３８】
シャワー空間７Ｃは、図５及び図８に示すように、ヘッド部７に同心に配置されて、ヘッド部７の円形端７Ｂ（シャワー本体１の他端１Ｂ）に開口される。シャワー空間７Ｃは、ヘッド部７の中心線の方向において、円形端７Ｂから半球端７Ａ側に延在される。シャワー空間７Ｃは、ヘッド部７の半球端７Ａにて閉塞される。
【００３９】
シャワー円筒部８は、図５及び図８に示すように、シャワー空間７Ｃ内に配置される。シャワー円筒部８は、シャワー空間７Ｃに同心に配置される。シャワー円筒部８は、シャワー空間７Ｃ内において、ヘッド部７の半球端７Ａ側に固定されて、ヘッド部７に一体に形成される。シャワー円筒部８は、ヘッド部７の半球端７Ａ側から円形端７Ｂ側に延在される。シャワー円筒部８の一方の筒端８Ａは、シャワー空間７Ｃ内（シャワー本体１の他端１Ｂ）に開口される。シャワー円筒部８の他方の筒端８Ｂは、ヘッド部７の半球端７Ａで閉塞される。
【００４０】
シャワー本体１は、図５及び図８に示すように、流入路９、流出路１０、複数（３つ）の固定突部１１、ガイド突部１２、ベース突部１３、及び基準突部１４を有する。
【００４１】
流入路９は、図５及び図８に示すように、円形穴の流路であって、ハンドル部６に形成される。流入路９は、シャワー本体１の一端１Ａ（ハンドル部の一端６Ａ）に開口される。流入路９は、ハンドル部６の筒中心線の方向において、ハンドル部６を貫通して、ハンドル部６の他端６Ｂに開口される。
流入路９は、ヘッド部７の半球端７Ａ側にて流出路１０内に開口される。
ハンドル部６の一端６Ａ（シャワー本体１の一端１Ａ）は、給水ホース（図示しない）に接続されて、給水ホースを通して液体が流入路９に流入される。
【００４２】
流出路１０は、図５及び図８に示すように、円形穴の流路であって、ヘッド部７のシャワー円筒部８内に形成される。流出路１０は、シャワー本体１の他端１Ｂ（シャワー円筒部８の一方の筒端８Ａ）に開口される。流出路１０は、シャワー円筒部８と同心に配置されて、ヘッド部７の半球端７Ａ側に延在される。流出路１０は、ヘッド部７の半球端７Ａにて閉塞される。流出路１０は、ヘッド部７の半球端７Ａ側にて流入路９に連通される。流出路１０は、図５及び図８に示すように、流入路９よりシャワー本体１の他端１Ｂ側（シャワー円筒部８の一方の筒端８Ａ側）において、穴段部１０Ａを有して縮径されてヘッド部７の半球端７Ａ側に延在される。
これにより、流出路１０は、流入路９を通して液体が流入され、液体がシャワー本体１の他端１Ｂ（ヘッド部７の円形端７Ｂ）から流出される。
【００４３】
複数の固定突部１１は、図５及び図８に示すように、流出路１０内に配置される。各固定突部１１は、流出路１０（シャワー円筒部８）の内周面から流出路１０の中心線Ａに向けて突出され、及びヘッド部７の半球端７Ａ側に延在される。各固定突部１１は、シャワー円筒部８の内周面に一体に形成される。
１の固定突部１１は、ヘッド部７の最上頂点７ａに配置される。他の２つの固定突部１１は、流出路１０の周方向（円周方向）において、最上頂点７ａの両側に角度：９０度の間隔を隔てて各側点に配置される。
【００４４】
ガイド突部１２は、図５乃至図８に示すように、円筒状に形成され、シャワー本体１の他端１Ｂ（ヘッド部７の他端７Ｂ）に一体に形成される。ガイド突部１２は、流出路１０と同心に配置され、シャワー本体１の他端１Ｂ（ヘッド部７の他端７Ｂ）から突出される。
【００４５】
ベース突部１３は、図５及び図８に示すように、断面円形の円柱であって、ヘッド部７の流出路１０内に配置される。ベース突部１３は、流出路１０と同心に配置され、一端をヘッド部７の半球端７Ａ側に固定して支持される。ベース突部１３は、流出路１０内において、ヘッド部７の半球端７Ａ側からシャワー本体１の他端１Ｂ（ヘッド部７の円形端７Ｂ）に向けて突出される。
ベース突部１３は、ネジ穴１５を有する。ネジ穴１５は、図２、図５及び図８に示すように、流出路１０と同心に配置されて、ベース突部１３に形成される。ネジ穴１５は、流出路１０の中心線Ａの方向に延在されて、流出路１０内に開口される。
【００４６】
基準突部１４は、図５乃至図８に示すように、ヘッド部７に一体に形成される。基準突部１４は、ヘッド部７の最上頂点７ａに配置される。基準突部１４は、流出路１０の中心線Ａと直交する方向において、ヘッド部７の表面から突出して形成される。
【００４７】
流路切替手段２（流路切替ユニット）は、図１乃至図４、図９乃至図２５に示すように、切替ハンドル２１、切替ベース２２、シールパッキン２３、シールリング２４、切替弁座体２５（切替弁座）、シールリング２６、切替弁体２７（切替弁）、複数（一対）のシールリング２８、固定ボルトネジ２９及びコイルバネ３０を有する。
【００４８】
切替ハンドル２１は、図９乃至図１２に示すように合成樹脂で円筒状に形成される。切替ハンドル２１は、第１ハンドル円筒部３１、第２ハンドル円筒部３２、ハンドル穴３３、ネジ部３４、複数（一対）の第１保持溝３５、複数（一対）の第２保持溝３６、及びハンドル突起３７を有する。
【００４９】
第１ハンドル円筒部３１（小径円筒部）及び第２ハンドル円筒部３２（大径円筒部）は、切替ハンドル２１の筒中心線Ｂ（中心線）を中心として同心に配置されて、一体に形成される。
【００５０】
第１ハンドル円筒部３１は、第２ハンドル円筒部３２の一方の筒端３２Ａから縮径して、切替ハンドル２１の筒中心線Ｂの方向に延在される。
【００５１】
第２ハンドル円筒部３２は、図９乃至図１２に示すように、シャワー位置Ｐ１を示すシャワー突部３８、ミスト位置Ｐ２を示すミスト突部３９、及びハンドル溝４０を有する。
シャワー突部３８及びミスト突部３９は、図９乃至図１２に示すように、切替ハンドル２１（第２ハンドル円筒部３２）の周方向に角度：９０度の間隔を隔てて配置される。シャワー突部３８、及びミスト突部３９は、切替ハンドル２１の筒中心線Ｂと直交する方向において、第２ハンドル円筒部３２の外周面から突出される。
ハンドル溝４０は、図９（ｂ）及び図１１（ｂ）に示すように、円環溝であって、第２ハンドル円筒部３２に形成される。ハンドル溝４０は、切替ハンドル２１の筒中心線Ｂを中心として、第２ハンドル円筒部３２と同心に配置される。ハンドル溝４０は、切替ハンドル２１の筒中心線Ｂに直交する方向において、第１ハンドル円筒部３１の外側に配置される。ハンドル溝４０は、第２ハンドル円筒部３２の一方の筒端３２Ａに開口して形成される。
ハンドル溝４０は、第２ハンドル円筒部３２の一方の筒端３２Ａから他方の筒端３２Ｂに向けて形成され、切替ハンドル２１の筒中心線Ｂの方向に溝深さを有する。
【００５２】
ハンドル穴３３は、図９、図１０、図１１（ｂ）及び図１２に示すように、円形穴に形成される。ハンドル穴３３は、切替ハンドル２１（第１ハンドル円筒部３１及び第２ハンドル円筒部３２）の筒中心線Ｂを中心として、各ハンドル円筒部３１，３２と同心に配置される。
ハンドル穴３３は、切替ハンドル２１の筒中心線Ｂの方向において、第１ハンドル円筒部３１及び第２ハンドル円筒部３２を貫通して形成される。ハンドル穴３３は、第１ハンドル円筒部３１の一方の筒端３１Ａ、及び第２ハンドル円筒部３２の他方の筒端３２Ｂに開口する。
【００５３】
ハンドル穴３３は、図９、図１０、図１１（ｂ）及び図１２に示すように、大径穴部３３Ａ，中径穴部３３Ｂ及び小径穴部３３Ｃを有する。
大径穴部３３Ａは、第２ハンドル円筒部３２の他方の筒端３２Ｂに開口される。中径穴部３３Ｂは、大径穴部３３Ａ及び小径穴部３３Ｃの間に形成される。中径穴部３３Ｂは、大径穴部３３Ａから第１穴段部３３Ｄを有して縮径されて、小径穴部３３Ｃに連続する。
小径穴部３３Ｃは、中径穴部３３Ｂから第２穴段部３３Ｅを有して縮径されて、第１ハンドル円筒部３１の一方の筒端３１Ａに開口する。
【００５４】
ネジ部３４は、図９、図１０及び図１１（ｂ）に示すように、ハンドル穴３３の大径穴部３３Ａに形成される。ネジ部３４は、切替ハンドル２１の筒中心線Ｂの方向において、第１穴段部３３Ｄから第２ハンドル円筒部３２の他方の筒端３２Ｂ側に配置される。
【００５５】
各第１保持溝３５は、図９、図１０及び図１１（ｂ）に示すように、ハンドル穴３３の中径穴部３３Ｂに形成される。各第１保持溝３５は、切替ハンドル２１（第２ハンドル円筒部３２）の周方向に角度：１８０度の間隔を隔てて配置される。
１の第１保持溝３５は、切替ハンドル２１の周方向において、シャワー突部３８と同じ位置に配置される。
各第１保持溝３５は、切替ハンドル２１の筒中心線Ｂの方向において、第１穴段部３３Ｄ及び第２穴段部３３Ｅの間に延在して形成される。各第１保持溝３５は、切替ハンドル２１の周方向（円周方向）に溝幅Ｈ１を有して、中径穴部３３Ｂの内周面に開口される。
【００５６】
各第２保持溝３６は、図９、図１０及び図１１（ｂ）に示すように、ハンドル穴３３の中径穴部３３Ｂに形成される。各第２保持溝３６は、切替ハンドル２１（第２ハンドル円筒部３２）の周方向に角度：１８０度の間隔を隔てて配置される。
１の第２保持溝３６は、切替ハンドル２１の周方向において、ミスト突部３９と同じ位置に配置される。各第２保持溝３６は、切替ハンドル２１の周方向において、各第１保持溝３５の間の中央に位置して、各第１保持溝３５に角度：９０度の間隔を隔てて配置される。
各第２保持溝３６は、切替ハンドル２１の筒中心線Ｂの方向において、第１穴段部３３Ｄから第２穴段部３３Ｅ側に延在して形成される。各２保持溝３６は、切替ハンドル２１の周方向に溝幅Ｈ２を有して、中径穴部３３Ｂの内周面に開口される。第２保持溝３６の溝幅Ｈ２は、第１保持溝３５の溝幅Ｈ１より幅狭である（溝幅Ｈ２＜溝幅Ｈ１）。
【００５７】
ハンドル突起３７は、図９（ｂ）、図１１及び図１２に示すように、切替ハンドル２１の筒中心線Ｂと直交する方向において、第１ハンドル円筒部３１の外側に配置される。ハンドル突起３７は、切替ハンドル２１の周方向において、シャワー突部３８と同じ位置に配置される。
ハンドル突起３７は、第１ハンドル円筒部３１の外周面に一体に形成される、ハンドル突起３７は、切替ハンドル２１の筒中心線Ｂと直交する方向において、第１ハンドル円筒部３１の外周面からハンドル溝４０まで突出される。
ハンドル突起３７は、切替ハンドル２１の筒中心線Ｂの方向において、第１ハンドル円筒部３１の一方の筒端３１Ａ及び第２ハンドル円筒部３２の一方の筒端３２Ａの間に延在される。ハンドル突起３７は、第１ハンドル円筒部３１の一方の筒端３１Ａと面一になる突起端面３７Ａ（平端面）を有する。
【００５８】
切替ベース２２は、図１３乃至図１５に示すように、合成樹脂で円筒状に形成される。切替ベース２２は、第１ベース円筒部４５（大径円筒部）、第２ベース円筒部４６（小径円筒部）、ベース円環板４７、ベース穴４８、固定円筒部４９、複数（一対）の第１リブ部５０、複数（一対）の第２リブ部５１、及び複数（一対）のベース突起５９，６０を有する。
【００５９】
第１ベース円筒部４５、及び第２ベース円筒部４６は、切替ベース２２の筒中心線Ｃ（中心線）を中心として同心に配置される。第１ベース円筒部４５及び第２ベース円筒部４６は、一体に形成される。
【００６０】
第１ベース円筒部４５は、図１３及び図１５に示すように、複数のシール溝５３，５４を有する。
【００６１】
シール溝５３は、図１３及び図１５に示すように、円環溝に形成され、第１ベース円筒部４５の一方の筒端４５Ａ側に配置される。シール溝５３は、切替ベース２２（第１ベース円筒部４５）の筒中心線Ｃ（中心線）を中心として、第１ベース円筒部４５と同心に配置され、第１ベース円筒部４５の全外周面にわたって形成される。シール溝５３は、切替ベース２２の筒中心線Ｃと直交する方向に溝深さを有して、第１ベース円筒部４５の外周面に開口される。
【００６２】
シール溝５４は、図１３及び図１５に示すように、円環溝に形成され、第１ベース円筒部４５の他方の筒端４５Ｂ側に配置される。シール溝５４は、切替ベース２２の筒中心線Ｃの方向において、第１ベース円筒部４５の他方の筒端４５Ｂ及びシール溝５３の間に配置される。
シール溝５４は、切替ベース２２の筒中心線Ｃを中心として、第１ベース円筒部４５と同心に配置され、第１ベース円筒部４５の全外周面にわたって形成される、シール溝５４は、切替ベース２２の筒中心線Ｃと直交する方向に溝深さを有して、第１ベース円筒部４５の外周面に開口される。
【００６３】
第２ベース円筒部４６は、図１３（ｂ）、図１４（ｂ）及び図１５に示すように、第１ベース円筒部４５の一方の筒端４５Ａから縮径して、切替ベース２２の筒中心線Ｃの方向において、第１ベース円筒部４５から突出される。
第２ベース円筒部４６は、複数（３つ）のベース規制溝５５，５６，５７を有する。
【００６４】
各ベース規制溝５５〜５７は、図１３、図１４（ｂ）及び図１５に示すように、切替ベース２２の周方向に角度：９０度の間隔を隔てて配置される。
各ベース規制溝５５〜５７は、切替ベース２２の周方向において、１のベース規制溝５５の両側に、他の２のベース規制溝５６，５７を配置する。各ベース規制溝５６，５７は、切替ベース２２の周方向において、ベース規制溝５５に角度：９０度の間隔を隔てて配置される。
各ベース規制溝５５，５６，５７は、切替ベース２２の筒中心線Ｃの方向において、第１ベース円筒部４５の一方の筒端４５Ａ、及び第２ベース円筒部４６の一方の筒端４６Ａの間に延在され、第２ベース円筒部４６の一方の筒端４６Ａに開口される。
各ベース規制溝５５〜５７は、切替ベース２２の筒中心線Ｃと直交する方向に溝深さを有して、第２ベース円筒部４６の外周面に開口される。
【００６５】
ベース円環板４７は、図１３乃至図１５に示すように、切替ベース２２（第１ベース円筒部４５）の筒中心線Ｃを中心として、第１ベース円筒部４５と同心に配置される。ベース円環板４７は、第１ベース円筒部４５の他方の筒端４５Ｂに固定され、第１ベース円筒部４５に一体に形成される。ベース円環板４７は、切替ベース２２の筒中心線Ｃと直交する方向において、第１ベース円筒部４５の外周面から突出して形成される。
【００６６】
ベース穴４８は、図１３（ａ）、図１４及び図１５（ｂ）に示すように、円形穴に形成される。ベース穴４８は、切替ベース２２の筒中心線Ｃの方向において、第１ベース円筒部４５及び第２ベース円筒部４６を貫通して形成される。ベース穴４８は、切替ベース２２の筒中心線Ｃを中心として、各ベース円筒部４５，４６と同心に配置される。
ベース穴４８は、小径穴部４８Ａ及び大径穴部４８Ｂを有する。小径穴部４８Ａは、第１ベース円筒部４５を貫通して、ベース円環板４７に開口される。大径穴部４８Ｂは、小径穴部４８Ａから穴段部４８Ｃを有して拡径して、第２ベース円筒部４６の一方の筒端４６Ａに開口される。
【００６７】
固定円筒部４９は、図１３乃至図１５に示すように、各ベース円筒部４５，４６内に配置される。固定円筒部４９は、切替ベース２２（各ベース円筒部４５，４６）の筒中心線Ｃを中心として、第２ベース円筒部４６と同心に配置される。
固定円筒部４９は、切替ベース２２の筒中心線Ｃと直交する方向において、各ベース円筒部４５，４６の内周面との間に環状空間Ｙを隔てて、各ベース円筒部４５，４６内に配置される。固定円筒部４９は、切替ベース２２の筒中心線Ｃの方向において、ベース穴４８の穴段部４８Ｃから第２ベース円筒部４６の一方の筒端４６Ａ側に延在され、第２ベース円筒部４６の一方の筒端４６Ａから突出される。固定円筒部４９は、ベース穴４８の穴段部４８Ｃと面一となる筒端面４９Ａ（平端面）を有する。
【００６８】
固定円筒部４９は、図１３（ｂ）、図１４及び図１５（ｂ）に示すように、ボルト収納穴５８を有する。ボルト収納穴５８は、切替ベース２２の筒中心線Ｃを中心として、固定円筒部４９と同心に配置される。ボルト収納穴５８は、切替ベース２２の筒中心線Ｃの方向において、固定円筒部４９を貫通して形成される。
ボルト収納穴５８は、図１３（ｂ）、図１４及び図１５（ｂ）に示すように、大径穴部５８Ａ、小径穴部５８Ｂ及び中径穴部５８Ｃを有する。
ボルト収納穴５８において、大径穴部５８Ａは、固定円筒部４９の一方の筒端面４９Ａに開口して、ベース穴４８の小径穴部４８Ａに連通される。小径穴部５８Ｂは、大径穴部５８Ａ及び中径穴部５８Ｃの間に配置される。小径穴部５８Ｂは、大径穴部５８Ａから縮径して形成される。中径穴部５８Ｃは、小径穴部５８Ｂから拡径して、固定円筒部４９の他方の筒端４９Ｂに開口される。
【００６９】
各第１リブ部５０は、図１３、図１４及び図１５（ｂ）に示すように、ベース穴４８の大径穴部４８Ｂにおいて、各ベース円筒部４５，４６及び固定円筒部４９の間（環状空間Ｙ）に配置される。
各第１リブ部５０は、切替ベース２２（各ベース円筒部４５，４６）の周方向に角度：１８０度の間隔を隔てて配置される。各第１リブ部５０において、１の第１リブ部５０は、ベース規制溝５５（１のベース規制溝）と同じ位置に配置される。
各第１リブ部５０は、切替ベース２２の筒中心線Ｃの方向において、ベース穴４８の穴段部４８Ｃ及び第２ベース円筒部４６の一方の筒端４６Ａの間に延在される。各第１リブ部５０は、各ベース円筒部４５，４６及び固定円筒部４９に固定されて、各ベース円筒部４５，４６及び固定円筒部４９と一体に形成される。各第１リブ部５０は、切替ベース２２の周方向にリブ幅ｈＡを有して形成される。
各第１リブ部５０は、固定円筒部４９の筒端面４９Ａ（穴段部４８Ｃ）と面一となるリブ平面５０Ａを有する。
【００７０】
各第２リブ部５１は、図１３、図１４及び図１５（ｂ）に示すように、ベース穴４８の大径穴部４８Ｂにおいて、各ベース円筒部４５，４６及び固定円筒部４９の間（環状空間Ｙ）に配置される。
各第２リブ部５１は、切替ベース２２（各ベース円筒部４５，４６）の周方向に角度：１８０度の間隔を隔てて配置される。各第２リブ部５１は、切替ベース２２の周方向において、各第１リブ部５０の間の中央に位置して、各ベース規制溝５６，５７（他の２のベース規制溝）と同じ位置に配置される。
各第２リブ部５１は、切替ベース２２の筒中心線Ｃの方向において、ベース穴４８の穴段部４８Ｃ及び第２ベース円筒部４６の一方の筒端４６Ａの間に延在される。各２リブ部５１は、各ベース円筒部４５，４６及び固定円筒部４９に固定されて、各ベース円筒部４５，４６及び固定円筒部４９と一体に形成される。各第２リブ部５１は、切替ベース２２の周方向にリブ幅ｈＢを有して形成される。各第２リブ部５１のリブ幅ｈＢは、各第１リブ部５０のリブ幅ｈＡより幅広である（リブ幅ｈＢ＞リブ幅ｈＡ）。
各第２リブ部５１は、固定円筒部４９の筒端面４９Ａ（穴段部４８Ｃ）と面一となるリブ平面５１Ａを有する。
これにより、環状空間Ｙにおいて、各第１リブ部５０及び第２リブ部５１の周方向の間には、図１３（ｂ）及び図１４（ｂ）に示すように、複数（４つ）のベース流入路Ｚが区画される。各ベース流入路Ｚは、切替ベース２２の筒中心線Ｃの方向に延在されて、ベース穴４８の大径穴部４８Ｂ及び第２ベース円筒部４６の一方の筒端４６Ａに開口する。
【００７１】
各ベース突起５９，６０は、図１３（ａ）、図１４（ａ）及び図１５（ｂ）に示すように、第１ベース円筒部４５の他方の筒端４５Ｂ側、及びベース円環板４７に固定されて、第１ベース円筒部４５及びベース円環板４７に一体に形成される。
各ベース突起５９，６０は、切替ベース２２の筒中心線Ｃと直交する方向において、ベース穴４８（小径穴部４８Ａ）及びベース円環板４７の外周面の間に配置される。
各ベース突起５９は、切替ベース２２の周方向に角度：１８０度の間隔を隔てて配置される。各ベース突起５９，６０は、切替ベース２２の筒中心線Ｃを中心として、ベース穴４８の外側に位置する円上（同心円上）に配置される。
各ベース突起５９，６０は、切替ベース２２の筒中心線Ｃの方向において、第１ベース円筒部４５の他方の筒端４５Ｂ及びベース円環板４７から突出して形成される。
【００７２】
１のベース突起５９は、図１４（ａ）に示すように、切替ベース２２の周方向（円周方向）において、各ベース規制溝５５，５６の間に配置される。
ベース突起５９は、切替ベース２２の筒中心線Ｃに直交してベース規制溝５５の中心を通るベース縦直線ＬＸにベース間隔ＨＡを隔てる第１ベース規制平面５９Ａを有する。第１ベース規制平面５９Ａは、ベース縦直線ＬＸに平行して形成される。
ベース突起５９は、切替ベースの筒中心線Ｃ（ベース縦直線ＬＸ）に直交して各ベース規制溝５６，５７の中心を通るベース横直線ＬＹにベース間隔ＨＡを隔てる第２ベース規制平面５９Ｂを有する。第２ベース規制平面５９Ｂは、ベース横直線ＬＹに平行して形成される。
【００７３】
他の１のベース突起６０は、図１４（ａ）に示すように、切替ベース２２の周方向（円周方向）において、各ベース規制溝５６，５７の間に配置される。
ベース突起６０は、ベース横直線ＬＹにベース間隔ＨＢを隔てる第３ベース規制平面６０Ａを有する。第３ベース規制平面６０Ａは、ベース横直線ＬＹに平行に形成される。
ベース突起６０は、ベース縦直線ＬＸにベース間隔ＨＢを隔てる第４ベース規制平面６０Ｂを有する。第４ベース規制平面６０Ｂは、ベース縦直線ＬＸに平行して形成される。
ベース間隔ＨＢは、ベース間隔ＨＡと同一の寸法（間隔）である（ベース間隔ＨＡ＝ＨＢ）。
【００７４】
シールパッキン２３は、図４及び図１５に示すように、合成ゴム等の弾性材で円環状に形成される。シールパッキン２３は、切替ベース２２の第１ベース円筒部４５に外嵌されて、シール溝５４内に装着される。シールパッキン２３は、第１ベース円筒部４５の外周面から突出してシール溝５４内に配置される。
【００７５】
シールリング２４は、図４及び図１５に示すように、合成ゴム等の弾性材にて円環状に形成される。シールリング２４は、切替ベース２２の第１ベース円筒部４５に外嵌されて、シール溝５３内に装着される。シールリング２４は、第１ベース円筒部４５の外周面から突出してシール溝５３内に配置される。
【００７６】
切替弁座体２５（切替弁座）は、図１６乃至図１８に示すように、合成樹脂で円筒状に形成される。切替弁座体２５は、弁座円筒部６２、弁座円板６３、複数（一対）の弁座穴６４，６５、複数（一対）の第１規制突起６６、複数（一対）の第２規制突起６７、複数（一対）のバネ収納突部６８を有する。
【００７７】
弁座円筒部６２は、図１６、図１７（ｂ）及び図１８に示すように、円筒状に形成される。弁座円筒部６２の外直径：Ｄ１は、図１５（ｂ）及び図１７（ａ）に示すように、ベース穴４８（切替ベース２２）の小径穴部６８Ａの穴直径：ｄ１より小径である（外直径：Ｄ１＜穴直径：ｄ１）。
弁座円筒部６２は、図１６乃至図１８に示すように、シール溝６９を有する。シール溝６９は、環状溝に形成され、切替弁座体２５（弁座円筒部６２）の筒中心線Ｄ（中心線）を中心として、弁座円筒部６２と同心に配置される。シール溝６９は、弁座円筒部６２の全外周面にわたって形成される。シール溝６９は、切替弁座体２５（弁座円筒部６２）の筒中心線Ｄと直交する方向に溝深さを有して、弁座円筒部６２の外周面に開口される。
【００７８】
弁座円板６３は、図１７（ａ）に示すように、弁座円筒部６２の外直径：Ｄ１と同一の板直径を有して円形状に形成される。弁座円板６３は、切替弁座体２５（弁座円筒部６２）の筒中心線Ｄを中心として、弁座円筒部６２と同心に配置される。弁座円板６３は、弁座円筒部６２の一方の筒端６２Ａを閉塞して、弁座円筒部６２に一体に形成される。
【００７９】
各弁座穴６４，６５は、図１７（ａ）に示すように、穴直径：ｄ４の円形穴であって、弁座円板６３に形成される。各弁座穴６４，６５は、図１７（ａ）に示すように、切替弁座体２５の筒中心線Ｄを中心とする円直径：Ｄ５の円ＣＡ上（同心円上）に配置される。各弁座穴６４，６５は、穴中心線Ｅを円ＣＡ上に位置して配置される。
各弁座穴６４，６５は、図１６（ａ）及び図１７に示すように、切替弁座体２５（弁座円筒部６２）の周方向に角度：１８０度の間隔を隔てて配置される。
各弁座穴６４，６５は、切替弁座体２５の筒中心線Ｄの方向において、弁座円板６３を貫通して、弁座円板６３の板表平面６３Ａ及び板裏平面６３Ｂに開口される。各弁座穴６４，６５は、弁座円筒部６２内に連通される。
【００８０】
各第１規制突起６６は、図１６、図１７（ｂ）及び図１８（ｂ）に示すように、切替弁座体２５（弁座円筒部６２）の筒中心線Ｄを中心として、各弁座穴６４及び弁座円筒部６２の外周面の間に位置する円上（同心円上）に配置される。各第１規制突起６６は、弁座穴６４側に位置して、弁座円筒部６２の他方の筒端６２Ｂに一体に形成される。
各第１規制突起６６は、切替弁座体２５の筒中心線Ｄに直交して、各弁座穴６４，６５の穴中心線Ｅを通る弁座直線ＬＢの両側に配置される。各第１規制突起６６は、図１７（ｂ）に示すように、弁座直線ＬＢに間隔：ＨＣ／２を隔てて配置される。
これにより、各第１規制突起６６は、図１７（ｂ）に示すように、切替弁座体２５の周方向に挿入間隔：ＨＣを隔てて配置される。挿入間隔ＨＣは、各第１リブ部５０（切替ベース２２）のリブ幅ｈＡより広く、及び各第２リブ部５１のリブ幅ｈＢより狭い間隔である（リブ幅ｈＡ＜挿入間隔ＨＣ＜リブ幅ｈＢ）。
各第１規制突起６６は、切替弁座体２５の筒中心線Ｄの方向において、弁座円筒部６２の他方の筒端６２Ｂから突出されて、弁座円板６３から離間しつつ延在される。
【００８１】
各第２規制突起６７は、図１７（ｂ）及び図１８（ａ）に示すように、各第１規制突起６６と同一円上に配置される、各第２規制突起６７は、切替弁座体２５の周方向において、各第１規制突起６６に角度：１８０度の間隔を隔てて配置されて、弁座穴６５側に位置する。
各第２規制突起６７は、弁座直線ＬＢの両側に配置される。各第２規制突起６７は、弁座直線に間隔：ＨＣ／２を隔てて配置される。
これにより、各第２規制突起６７は、切替弁座体２５の周方向に挿入間隔：ＨＣを隔てて配置される。
各第２規制突起６７は、切替弁座体２５の筒中心線Ｄの方向において、弁座円筒部６２の他方の筒端６２Ｂから突出されて、弁座円板６３から離間しつつ延在される。
【００８２】
各バネ収納突部６８は、図１６（ｂ）、図１７（ｂ）及び図１８（ｂ）に示すように、弁座円筒部６２内に位置して、各弁座穴６４，６５の間に配置される。各バネ収納突部６８は、切替弁座体２５の周方向に角度：１８０度の間隔を隔てて配置される。
各バネ収納突部６８は、切替弁座体２５の筒中心線Ｄを中心として、弁座円筒部６２と同心に配置される。各バネ収納突部６８は、図１７（ｂ）に示すように、切替弁座体２５の筒中心線Ｄ（中心線）から半径：ｒ２を有する孤状に形成される。各バネ収納突部６８の半径：ｒ２は、切替弁座体２５の筒中心線Ｄ及び弁座穴６４の間の間隔（距離）より小径である。
各バネ収納突部６８は、弁座円板６３に一体に形成される。各バネ収納突部６８は、切替弁座体２５の筒中心線Ｄの方向において、弁座円板６３の板裏平面６３Ｂから弁座円筒部６２内に突出される。
【００８３】
シールリング２６は、図４及び図１８に示すように、合成ゴム等の弾性材で円環状に形成される。シールリング２６は、切替弁座体２５の弁座円筒部６２に外嵌されて、シール溝６９内に装着される。シールリング２６は、弁座円筒部６２の外周面から突出してシール溝６９内に配置される。
【００８４】
切替弁体２７は、図１９乃至図２５に示すように、合成樹体脂で円筒状に形成される。切替弁体２７は、第１弁体円筒部７１（大径円筒部）、弁体円環板７２、第２弁体円筒部７３（小径円筒部）、弁体円板７４、中心円筒部７５、複数（一対）の円筒弁体７６，７７、複数（一対）の弁体流路７８，７９、複数（一対）の第１弁体突部８０、複数（一対）の第２弁体突部８１、複数の外側流出穴８２、複数（一対）の第１ハンドル規制突部８３、及び複数（一対）の第２ハンドル規制突部８５を有する。
【００８５】
第１弁体円筒部７１は、図１９乃至図２５に示すように、円筒状に形成される。第１弁体円筒部７１の外直径：Ｄ２は、図１０及び図２０に示すように、ハンドル穴３３（切替ハンドル２１）の中径穴部３３Ｂの穴直径：ｄ２より小径である（外直径：Ｄ２＜穴直径：ｄ２）。第１弁体円筒部７１の内直径：ｄ３は、図１７（ａ）及び図２３に示すように、弁座円筒部６２及び弁座円板６３（切替弁座体２５）の外直径：Ｄ１より大径である（内直径：ｄ３＞外直径：Ｄ１）。
【００８６】
弁体円環板７２は、図１９乃至図２５に示すように、円環状に形成される。弁体円環板７２は、第１弁体円筒部７１と同一の外直径：Ｄ２を有する。
弁体円環板７２は、切替弁体２７（第１弁体円筒部７１）の筒中心線Ｆ（中心線）を中心として、第１弁体円筒部７１と同心に配置される。弁体円環板７２は、第１弁体円筒部７１の一方の筒端７１Ａを閉塞して、第１弁体円筒部７１に一体に形成される。
【００８７】
第２弁体円筒部７３は、図１９乃至図２４に示すように、切替弁体２７（第１弁体円筒部７１）の筒中心線Ｆを中心として、第１弁体円筒部７１に同心に配置される。第２弁体円筒部７３は、弁体円環板７２の内周に沿って配置されて、弁体円環板７２に一体に形成される。
第２弁体円筒部７３は、切替弁体２７の筒中心線Ｆの方向において、弁体円環板７２から突出される。第２弁体円筒部７３の外直径Ｄ３は、第１弁体円筒部７１の内直径：ｄ３より小径である（外直径：Ｄ３＜内直径：ｄ３）。
第２弁体円筒部７３は、シャワー流出穴８７を有する。シャワー流出穴８７は、切替弁体２７の筒中心線Ｆを中心として、第２弁体円筒部７３と同心に配置される。シャワー流出穴８７は、切替弁体２７（第１弁体円筒部７１）の筒中心線Ｆの方向において、第２弁体円筒部７３を貫通して形成される。シャワー流出穴８７は、第２弁体円筒部７３の一方の筒端７３Ａ、及び他方の筒端７３Ｂに開口する。
【００８８】
シャワー流出穴８７は、図１９（ａ）、図２０、図２３及び図２４に示すように、大径穴部８７Ａ及び小径穴部８７Ｂを有する。大径穴部８７Ａは、第２弁体円筒部７３の突出側の筒端７３Ａ（一方の筒端）に開口される。小径穴部８７Ｂは、大径穴部８７Ａから穴段部８７Ｃを有して縮径されて、第２弁体円筒部７３の他方の筒端７３Ｂに開口される。
【００８９】
弁体円板７４は、図１９乃至図２１、及び図２３乃至図２５に示すように、円形状に形成される。弁体円板７４は、切替弁体２７の筒中心線Ｆを中心として、第２弁体円筒部７３と同心に配置される。弁体円板７４は、第２弁体円筒部７３の小径穴部８３Ｂ内に配置されて、第２弁体円筒部７３の他方の筒端７３Ｂを閉塞する。弁体円板７４は、第２弁体円筒部７３に一体に形成される。
【００９０】
中心円筒部７５は、図１９（ｂ）、図２０、及び図２３乃至図２５に示すように、切替弁体２７の筒中心線Ｆを中心として、各弁体円筒部７１，７３と同心に配置される。中心円筒部７５は、第２弁体円筒部７３内（シャワー流出穴８７内）に配置される。中心円筒部７５は、切替弁体２７の筒中心線Ｆと直交する方向において、第２弁体円筒部７３の内周面との間に環状空間を隔てて各弁体円筒部７１，７３の中心に配置される。
中心円筒部７５は、図２３及び図２４に示すように、一方の筒端７５Ａを弁体円板７４の板裏平面７４Ｂに固定して、弁体円板７４と一体に形成される。中心円筒部７５は、切替弁体２７の筒中心線Ｆの方向において、弁体円板７４の板裏平面７４Ｂから第１弁体円筒部７１内に延在される。中心円筒部７５は、切替弁体２７の筒中心線Ｆの方向において、第１弁体円筒部７１から突出する。
【００９１】
各円筒弁体７６，７７は、図１９（ｂ）、及び図２１乃至図２４に示すように、円筒状に形成される。各円筒弁体７６，７７は、第２弁体円筒部７３内（第１弁体円筒部７１内）に配置される。
各円筒弁体７６，７７は、図２１（ａ）に示すように、切替弁体２７（第１弁体円筒部７１）の筒中心線Ｆを中心として、中心円筒部７５及び第２弁体円筒部７３の間に位置する円直径：Ｄ６の円ＣＢ上（同心円上）に配置される。各円筒弁体７６，７７は、筒中心線Ｇを円ＣＢに位置して、中心円筒部７５に隣接して配置される。各円筒弁体７６，７７を配置する円ＣＢの円直径：Ｄ６は、各弁座穴６４，６５を配置する円ＣＡの円直径：Ｄ５と同一である（円直径Ｄ６＝円直径：Ｄ５）。
各円筒弁体７６，７７は、中心円筒部７５と一体に形成される。
各円筒弁体７６，７７は、弁体円板７４の板裏平面７４Ｂに固定されて、弁体円板７４と一体に形成される。各円筒弁体７６，７７は、切替弁体２７（第１弁体円筒部７１）の筒中心線Ｆの方向において、弁体円板７４の板裏平面７４Ｂから第１弁体円筒部７１内に延在される。各円筒弁体７６，７７は、切替弁体２７の筒中心線Ｆの方向において、第１弁体円筒部７１から突出する。
各円筒弁体７６，７７、及び中心円筒部７５において、第１弁体円筒部７１から突出する筒端７６Ａ，７７Ａ，７５Ａは、面一の平端面に形成される。
【００９２】
円筒弁体７６は、図１９（ｂ）、図２０、図２１（ａ）及び図２４に示すように、に示すように、弁体穴８８及びシール溝８９を有する。
【００９３】
弁体穴８８は、図１９（ｂ）、図２０、図２１（ａ）、図２４及び図２５に示すように、穴直径：ｄ５の円形穴に形成される。弁体穴８８は、円筒弁体７６の筒中心線Ｇを中心として、円筒弁体７６と同心に配置される。弁体穴８８は、円筒弁体７６の筒中心線Ｇ（中心線）の方向において、円筒弁体７６の一方の筒端７６Ａから弁体円板７４まで延在されて、円筒弁体７６の一方の筒端７６Ａに開口する。弁体穴８８は、円筒弁体７６の筒中心線Ｇ方向において、弁体円板８４で閉塞される。
弁体穴８８の穴直径：ｄ５は、各弁座穴６４，６５の穴直径：ｄ４より大径である（穴直径：ｄ５＜穴直径：ｄ４）。
【００９４】
シール溝８９は、図１９（ｂ）及び図２１（ａ）に示すように、円環溝であって、円筒弁体７６の一方の筒端７６Ａ側に形成される。シール溝８９は、円筒弁体７６の筒中心線Ｇを中心として、円筒弁体７６と同心に配置される。シール溝８９は、円筒弁体７６の筒中心線Ｇと直交する方向において、弁体穴８８の外側に配置される。シール溝８９は、円筒弁体７６の筒中心線Ｇの方向に溝深さを有して、円筒弁体７６の一方の筒端７６Ａに開口される。
【００９５】
円筒弁体７７は、図１９（ｂ）、図２０、図２１（ａ）、図２４及び図２５に示すように、弁体穴９０及びシール溝９１を有する。
【００９６】
弁体穴９０は、図１９（ｂ）、図２０、図２１（ａ）、図２４及び図２５に示すように、穴直径：ｄ５の円形穴に形成される。弁体穴９０は、円筒弁体７７の筒中心線Ｇを中心として、円筒弁体７７と同心に配置される。弁体穴９０は、円筒弁体７７の筒中心線Ｇ（中心線）の方向において、円筒弁体７７の一方の筒端７７Ａから弁体円板７４まで延在されて、円筒弁体７７の一方の筒端７７Ａに開口する。弁体穴９０は、円筒弁体７７の筒中心線Ｇの方向において、弁体円板７４で閉塞される。
【００９７】
シール溝９１は、図１９（ａ）及び図２１（ａ）に示すように、円環溝であって、円筒弁体７７の一方の筒端７７Ａ側に形成される。シール溝９１は、円筒弁体７７の筒中心線Ｇを中心として、円筒弁体７７と同心に配置される。シール溝９１は、円筒弁体７７の筒中心線Ｇと直交する方向において、弁体穴９０の外側に配置される。シール溝９１は、円筒弁体７７の筒中心線Ｇの方向に溝深さを有して、円筒弁体７７の一方の筒端７７Ａに開口される。
【００９８】
弁体流路７８は、図１９（ａ）、図２０、図２１（ａ）、及び図２２乃至図２５に示すように、シャワー流出穴８７の小径穴部８７Ｂ内において、弁体円板７４に形成される。弁体流路７８は、図２０に示すように、切替弁体２７の筒中心線Ｆと直交して各円筒弁体７６，７７の筒中心線Ｇを通る弁体横直線ＬＣにおいて、弁体横直線ＬＣを境とする一方側の弁体円板７４（上半分の弁体円板７４）に形成される。
弁体流路７８は、円筒弁体７６の一方の筒端７６Ａ側において、弁体穴８８内に開口される。弁体流路７８は、弁体穴８８に開口する円筒弁体７６の一方の筒端７６Ａ側から弁体円板７４の板表平面７４Ａに向けて傾斜しつつ、中心円筒部７５の外周面に沿って螺旋状に延在される。
弁体流路７８は、切替弁体２７の周方向において、弁体穴８８に開口する円筒弁体７６の一方の筒端７６Ａ側から角度：９０度の間隔を隔てる円筒弁体７７上（弁体穴９０上）まで延在されて、円筒弁体７７上にて弁体円板７４の板表平面７４Ａに位置する。
弁体流路７８は、円筒弁体７６の一方の筒端７６Ａ側及び円筒弁体７７の間において、弁体円板７４の板表平面７４Ａに開口されて、シャワー流出穴８７の小径穴部８７Ｂに連通される。
弁体流路７８は、弁体円板７４の上半分において、中心円筒部７５に隣接する弁体円板７４の一部分を、中心円筒部７５の外周面に沿って円筒弁体７６の一方の筒端７６Ａ側に螺旋状に凹ませて（又は螺旋状に突出して）形成される。
これにより、弁体流路７８は、円筒弁体７６の一方の筒端７６Ａ側から中心円筒部７５の外周面に沿って円筒弁体７７上（弁体穴９０上）に至る螺旋状の流路に形成される。
【００９９】
弁体流路７９は、図１９（ａ）、図２０、図２１（ａ）、及び図２２乃至図２５に示すように、シャワー流出穴８７の小径穴部８７Ｂ内において、弁体円板７４に形成される。弁体流路７９は、図２０に示すように、弁体横直線ＬＣを境とする他方側の弁体円板７４（下半分の弁体円板７４）に形成される。
弁体流路７９は、円筒弁体７７の一方の筒端７７Ａ側において、弁体穴９０内に開口される。弁体流路７９は、弁体穴９０に開口する円筒弁体７７の一方の筒端７７Ａ側から弁体円板７４の板表平面７４Ａに向けて傾斜しつつ、中心円筒部７５の外周面に沿って螺旋状に延在される。
弁体流路７９は、切替弁体２７の周方向において、弁体穴９０に開口する円筒弁体７７の一方の筒端７７Ａ側から角度：９０度の間隔を隔てる円筒弁体７６上（弁体穴８８上）まで延在されて、円筒弁体７６上にて弁体円板７４の板表平面７４Ａに位置する。
弁体流路７９は、円筒弁体７７の一方の筒端７７Ａ側及び円筒弁体７６の間において、弁体円板７４の板表平面７４Ａに開口されて、シャワー流出穴８７の小径穴部８７Ｂに連通される。
弁体流路７９は、弁体円板７４の下半分において、中心円筒部７５に隣接する弁体円板７４の一部分を、中心円筒部７５の外周面に沿って円筒弁体７７の一方の筒端７７Ａ側に螺旋状に凹ませて（又は螺旋状に突出して）形成される。
これにより、弁体流路７９は、円筒弁体７７の一方の筒端７７Ａ側から中心円筒部７５の外周面に沿って円筒弁体７６上（弁体穴８８上）に至る螺旋状の流路に形成される。
【０１００】
各第１弁体突部８０は、図１９乃至図２２、図２４及び図２５に示すように、第１弁体円筒部７１に形成される。各弁体突部８０は、切替弁体２７の周方向に角度：１８０度の間隔を隔てて、弁体横直線ＬＣに配置される。各第１弁体突部８０は、切替弁体２７の筒中心線Ｆ（中心線）と直交する方向（弁体横直線ＬＣの方向）において、第１弁体円筒部７１の外周面から突出して形成される。各第１弁体突部８０の突出量は、各第１保持溝３５（切替ハンドル２１）の溝深さより小さくされる。
各第１弁体突部８０は、切替弁体２７の周方向において、弁体縦直線ＬＣの両側にｈＣ／２を有して、突幅：ｈＣに形成される。各第１弁体突部８０の突幅ｈＣは、各第１保持溝３５（切替ハンドル２１）の溝幅ｈＡより小さくされる。
各第１弁体突部８０は、図１９、図２２及び図２４に示すように、切替弁体２７の筒中心線Ｆの方向において、第１弁体円筒部７１から各円筒弁体７６，７７の一方の筒端７６Ａ，７７Ａ側に延在される。
【０１０１】
各第２弁体突部８１は、図１９乃至図２３、及び図２５に示すように、第１弁体円筒部７１に形成される。各第２弁体突部８１は、切替弁体２７の周方向に角度：１８０度の間隔を隔てて配置される。各第２弁体突部８１は、切替弁体２７の筒中心線Ｆ及び弁体横直線ＬＣと直交する弁体縦直線ＬＤに配置される。各第２弁体突部８１は、切替弁体２７の筒中心線Ｆと直交する方向（弁体縦直線ＬＤの方向）において、第１弁体円筒部７１の外周面から突出して形成される。各第２弁体突部８１の突出量は、各第２保持溝３６（切替ハンドル２１）の溝深さより小さくされる。
各第２弁体突部８１は、切替弁体２７の周方向において、弁体縦直線ＬＤの両側にｈＤ／２を有して、突幅；ｈＤに形成される。各第２弁体突部８１の突幅：ｈＤは、各第２保持溝３６（切替ハンドル２１）の溝幅：ｈＢより小さくされる。
【０１０２】
複数の外側流出穴８２は、図１９乃至図２１、及び図２３乃至図２５に示すように、例えば、１２穴を弁体円環板７２に形成して構成される。各外側流出穴８２は、切替弁体２７の筒中心線Ｆ（中心線）を中心とする円上（同心円上）に配置される。各外側流出穴８２は、切替弁体２７の周方向に等角度（等ピッチ）、例えば、角度：３０度の等間隔を隔てて配置される。
各外側流出穴８２は、切替弁体２７の筒中心線Ｆの方向において、弁体円環板７２を貫通して、弁体円環板７２の板表平面７２Ａ及び板裏平面７２Ｂに開口される。
これにより、各外側流出穴８２は、各円筒弁体７６，７７の外側において、第１弁体円筒部７１内に連通される。
【０１０３】
各第１ハンドル規制突部８３は、図１９（ｂ）、図２１（ｂ）、図２２、図２４（ｂ）及び図２５に示すように、弁体円環板７２の板裏平面７２Ｂ、及び弁体円板７４の板裏平面７４Ｂにわたって形成される。
各第１ハンドル規制突部８３は、円筒弁体７６の外周面及び第１弁体円筒部７１の内周面の間に延在されて、円筒弁体７６及び第１弁体円筒部７１と一体に形成される。
各第１ハンドル規制突部８３は、切替弁体２７の周方向において、弁体横直線ＬＣの両側に配置される。各第１ハンドル規制突部８３は、弁体横直線ＬＣに弁体間隔ＨＤを隔てる弁体規制平面８３Ａを有する。弁体規制平面８３Ａは、弁体横直線ＬＣに平行して形成される。弁体間隔ＨＤは、各ベース突起５９，６０（切替ベース２２）のベース間隔ＨＡ，ＨＢと同じである。
各第１ハンドル規制突部８３は、切替弁体２７の筒中心線Ｆの方向において、弁体円環板７２の板裏平面７２Ｂ及び弁体円板７４の板裏平面７４Ｂから円筒弁体７６の一方の筒端７６Ａ側に突出される。
【０１０４】
各第２ハンドル規制突部８５は、図１９（ｂ）、図２１（ｂ）、図２２（ｂ）及び図２５に示すように、弁体円環板７２の板裏平面７２Ｂ、及び弁体円板７４の板裏平面７４Ｂにわたって形成される。
各第２ハンドル規制突部８５は、円筒弁体７７の外周面及び第１弁体円筒部７１の内周面の間に延在されて、円筒弁体７７及び第１弁体円筒部７１と一体に形成される。
各第２ハンドル規制突部８５は、切替弁体２７の周方向において、弁体横直線ＬＣの両側に配置される。各第２ハンドル規制突部８５は、弁体横直線ＬＣに弁体間隔ＨＤを隔てる弁体規制平面８５Ａを有する。弁体規制平面８５Ａは、弁体横直線ＬＣに平行して形成される。
各第２ハンドル規制突部８５は、切替弁体２７の筒中心線Ｆの方向において、弁体円環板７２の板裏平面７２Ｂ及び弁体円板７４の板裏平面７４Ｂから円筒弁体７７の一方の筒端７７Ａ側に突出される。
【０１０５】
各シールリング２８は、図４及び図２４に示すように、合成ゴム等の弾性材で円環状に形成される。
各シールリング２８は、各円筒弁体７６，７７のシール溝８９，９１内に装着される。各シールリング２８は、各円筒弁体７６，７７の筒端７６Ａ，７７Ａから突出して各シール溝８９，９１内に配置される。
【０１０６】
流路切替手段２は、図３０乃至図４１に示すように、シャワー本体１のシャワー空間７Ｃ内、及び流出路１０内（シャワー円筒部８内）に収納（配置）される。
【０１０７】
流路切替手段２において、切替ベース２２は、図２６乃至図２９に示すように、切替ハンドル２１内に挿入してハンドルユニットＨＵに組立てられる。
切替ベース２２は、図２６、図２７及び図２９に示すように、第２ベース円筒部４６の一方の筒端４６Ａから切替ハンドル２１のハンドル穴３３内（大径穴部３３Ａ内）に挿入される。
切替ベース２２は、ベース円環板４７を切替ハンドル２１の中径穴部３３Ｂ内に挿入し、第１ベース円筒部４５及びシールパッキン２３を切替ハンドル２１の小径穴部３３Ｃ内に挿入して配置される。切替ベース２２は、図２６乃至図２９に示すように、１の第１リブ部５０及びベース規制溝５５を切替ハンドル２１のハンドル突起３７に位置する第１保持溝３５、ハンドル突起３７及びシャワー突部３８と同じ位置に配置して、ハンドル穴３３内に挿入される。
切替ベース２２は、ハンドル穴３３の中径穴部３３Ｂ内において、ベース円環板４７を切替ハンドル２１の第２穴段部３３Ｅに当接して、切替ハンドル２１と同心に載置される。
切替ベース２２を切替ハンドル２１に載置すると、切替ベース２２の第２ベース円筒部４６の一方の筒端４６Ａ、及びシールリング２４（シール溝５４）は、切替ハンドル２１の第１ハンドル円筒部３１の一方の筒端３１Ａから突出されて、切替ハンドル２１の筒中心線Ｂの方向に延在される。
また、切替ベース２２を切替ハンドル２１に載置すると、シールパッキン２３は、図２９に示すように、切替ハンドル２１の小径穴部３３Ｃ（ハンドル穴３３）の内周面に圧接されて、ハンドル穴３３の小径穴部３３Ｃを液密にする。シールパッキン２３は、弾性力によって、切替ベース２２のベース円環板４７の外周面、及び切替ハンドル２１の中径穴部３３Ｂの間に隙間を隔てる。
これにより、  切替ハンドル２１は、切替ベース２２に対して回転自在となる。
切替ハンドル２１は、ハンドル穴３３の小径穴部３３Ｃを切替ベース２２のシールパッキン２３に摺接しつつ回転される。
切替ハンドル２１の大径穴部３３Ａ（ハンドル穴３３）は、図２９に示すように、切替ベース２２の小径穴部４８Ａ（ベース穴４８）を通して各ベース流入路Ｚに連通される。
切替ベース２２の各ベース突起５９，６０は、図２６及び図２９に示すように、切替ハンドル２１の中径穴部３３Ｂ内（ハンドル穴３３内）に突出して配置される。
このように、流路切替手段２は、切替ベース２２を切替ハンドル２１に載置して、ハンドルユニットＨＵに組立てる。
【０１０８】
流路切替手段２において、ハンドルユニットＨＵ（切替ハンドル２１及び切替ベース２２）は、図３０乃至図３２に示すように、シャワー本体１のシャワー空間７Ｃ及び流出路１０内（シャワー円筒部８内）に配置される。
ハンドルユニットＨＵは、図３０に示すように、切替ベース２２の第２ベース円筒部４６からシャワー本体１（ヘッド部７）のシャワー空間７Ｃ内、及び流出路１０内に挿入される。ハンドルユニットＨＵは、流出路１０（シャワー円筒部８）の中心線Ａと同心に配置される。
ハンドルユニットＨＵは、図３０乃至図３２に示すように、切替ハンドル２１のシャワー突部３８、ハンドル突起３７、１の第１保持溝３５、及び切替ベース２２のベース規制溝５５をヘッド部７の基準突部１４（最上頂点７ａ）と同じ位置に配置して、シャワー本体１内に挿入される。
【０１０９】
ハンドルユニットＨＵは、切替ベース２２の第２ベース円筒部４６を筒端４６Ａからシャワー円筒部８内（流出路１０内）に挿入し、切替ハンドル２１の第１ハンドル円筒部３１をガイド突部１２内及びシャワー空間７Ｃ内に挿入する。
【０１１０】
ハンドルユニットＨＵにおいて、切替ベース２２の第２ベース円筒部４６は、図３２に示すように、各ベース規制溝５５，５６，５７内にシャワー本体１の各固定突部１１を挿入して、シャワー円筒部８内（流出路１０内）に収納される。
これにより、切替ベース２２は、ヘッド部７に回転不能として、シャワー本体１に取付けられる。
切替ベース２２の第１リブ部５０は、図３０乃至図３２に示すように、シャワー本体１の基準突部１４と同じ位置に配置される。
【０１１１】
ハンドルユニットＨＵにおいて、切替ベース２２の第２ベース円筒部４６は、シールリング２４をシャワー円筒部８（流出路１０）の内周面に圧接して流出路１０内に挿入される。ハンドルユニットＨＵは、第２ベース円筒部４６の一方の筒端４６Ａを流出路１０の穴段部１０Ｃに当接して、ハンドル部６に載置される。
【０１１２】
ハンドルユニットＨＵにおいて、切替ベース２２の固定円筒部４９は、図３０に示すように、流出路１０内（シャワー円筒部８内）に挿入されて、ボルト収納穴５８の中径穴部５８Ｃ内にシャワー本体１のベース突部１３を圧入して配置される。
これにより、切替ベース２２のボルト収納穴５８は、ベース突部１３のネジ穴１５に連通される。
【０１１３】
ハンドルユニットＨＵにおいて、切替ハンドル２１は、図３０に示すように、第１ハンドル円筒部３１をシャワー本体１のガイド突起１２内及びシャワー空間７Ｃ内に挿入される。切替ハンドル２１は、ハンドル溝４０内にシャワー本体１のガイド突部１２を挿入して配置される。シャワー本体１のガイド突起１２は、切替ハンドル２１に接触することなく、ハンドル溝４０内に挿入される。切替ハンドル２１は、ハンドル突起３７の突起端面３７Ａをシャワー円筒部８の一方の筒端８Ａに当接して配置される。
【０１１４】
このように、ハンドルユニットＨＵをシャワー本体１のシャワー空間７Ｃ内及び流出路１０内に配置すると、切替ベース２２の各ベース流入路Ｚは、図３０乃至図３２に示すように、ヘッド部７の半球端７Ａ側で流出路１０内に連通され、及び流出路１０を通してハンドル部６の流入路９内に連通される。
ハンドルユニットＨＵにおいて、切替ハンドル２１の中径穴部３３Ｂは、図３０乃至図３２に示すように、切替ベース２２の各ベース流入路Ｚ及び小径穴部４８Ａ（ベース穴４８）を通して流出路１０内に連通される。
【０１１５】
流路切替手段２は、図３３及び図３４に示すように、ハンドルユニットＨＵ（切替ハンドル２１及び切替ベース２２）をシャワー本体１内（シャワー空間７Ｃ内及び流出路１０内）に配置すると、固定ボルトネジ２９にて切替ベース２２をシャワー本体１（ヘッド部７）に固定する。
固定ボルトネジ２９は、図３３及び図３４に示すように、切替ベース２２の固定円筒部４９内に挿入される。
固定ボルトネジ２９は、ボルトネジ２９Ａを固定円筒部４９の大径穴部５８Ａ及び小径穴部５８Ｂ（ボルト収納穴５８）に挿入して、ベース突部１３（シャワー本体１）のネジ穴１５に螺着する。固定ボルトネジ２９は、ボルト頭部２９Ｂを固定円筒部４９の大径穴部５８Ａに挿入して、穴段部５８Ｄに当接して配置される。
固定ボルトネジ２９を回動して、切替ベース２２の第２ベース円筒部４６をベース突部１３に締付ける。
これにより、ハンドルユニットＨＵにおいて、切替ベース２２は、図３３に示すように、固定ボルトネジ２９にてシャワー本体１（ヘッド部７）に固定される。
ハンドルユニットＨＵにおいて、切替ハンドル２１は、シャワー本体に回転自在として取付けられる。
ハンドルユニットＨＵの切替ベース２２において、ベース突起５９の第１ベース規制平面５９Ａは、図３４に示すように、シャワー本体１のシャワー突部３８にベース間隔ＨＡを隔てて配置される。
【０１１６】
流路切替手段２は、図３３及び図３４に示すように、ハンドルユニットＨＵの切替ベース２２を固定ボルトネジ２９でシャワー本体１に固定すると、コイルバネ３０を切替ベース２２に配置する。
コイルバネ３０は、図３３及び図３４に示すように、流出路１０の中心線Ａと同心に配置されて、切替ベース２２内に挿入される。コイルバネ３０は、固定円筒部４９（切替ベース２２）において、ボルト収納穴５８の大径穴部５８Ａ内に挿入される。コイルバネ３０は、固定ボルトネジ２９のボルト頭部２９Ｂに外嵌されて、ボルト収納穴５８の大径穴部５８Ａ内に挿入される。コイルバネ３０は、一方のバネ端をボルト収納穴５８の穴段部５８Ｄに当接して配置される。
これにより、コイルバネ３０は、図３３及び図３４に示すように、流出路１０の中心線Ａ（切替ハンドル２１の筒中心線Ｂ）の方向において、固定円筒部４９の穴段部５８Ｄから切替ベース２２の小径穴部４８Ａ内（ベース穴４８内）に突出して配置される。
【０１１７】
流路切替手段２において、切替弁座体２５は、図３５乃至図３７に示すように、シャワー本体１内に配置されたハンドルユニットＨＵ（切替ベース２２）に収納（配置）される。
切替弁座体２５は、図３５乃至図３７に示すように、切替ベース２２の筒中心線Ｃと同心に配置されて、第１及び第２規制突起６６，６７から切替ベース２２の小径穴部４８Ａ内（ベース穴４８内）に挿入される。
切替弁座体２５は、各第１規制突起６６の間（ベース間隔ＨＡ）、及び各第２規制突起６７の間（ベース間隔ＨＡ）に切替ベースの各第１リブ部５０を位置して、切替ベース２２の小径穴部４８Ａ内に挿入される。
切替弁座体２５は、図３５乃至図３７に示すように、弁座円板６３及び弁座円筒部６１を切替ベース２２の小径穴部４８Ａ内（ベース穴４８内）に挿入して、切替ベース２２内に配置される。このとき、切替弁座体２５（弁座円筒部６２）のシールリング２６は、ベース穴４８の小径穴部４８Ａの内周面に圧接されて、小径穴部４８Ａを液密にする。
【０１１８】
切替弁座体２５は、図３５及び図３６に示すように、コイルバネ３０の他方のバネ端側を各バネ収納突部６８内に収納し、及びコイルバネ３０の他方のバネ端を弁座円板６３の板裏平面６３Ｂに当接して、切替ベース２２の小径穴部４８Ａ内に挿入される。
切替弁座体２５は、各バネ収納突部６８内に収納したコイルバネ３０を切替ベース２２側に圧縮して、切替ベース２２の小径穴部４８Ａ内に挿入される。
【０１１９】
切替弁座体２５は、図３５及び図３７に示すように、各第１規制突起６６の間に切替ベース２２の第１リブ部５０を圧入し、及び各第２規制突起６７の間に切替ベース２２の第１リブ部５０を圧入して、切替ベース２２の小径穴部４８Ａ内に配置される。
これにより、切替弁座体２５は、切替ベース２２及びシャワー本体１（ヘッド部７）に回転不能にされる。切替弁座体２５は、切替ベース２２の筒中心Ｃの方向に移動自在にされる。
切替弁座体２５の各弁座穴６４，６５は、図５乃至び図３７に示すように、シャワー本体１の基準突部１４、及び切替ハンドル２１のシャワー突部３８と同じ位置に配置されて、切替ベース２２の小径穴部４８Ａに連通する。
切替弁座体２５の各弁座穴６４，６５は、図３６及び図３７に示すように、切替ベース２２の各ベース流入路Ｚを通して流出路１０、及び流入路９に連通される。
【０１２０】
流路切替手段２において、切替弁体２７（切替弁）は、図３８乃至図４１に示すように、シャワー本体１に取付けたハンドルユニットＨＵ内（切替ハンドル２１内）に配置される。
切替弁体２７は、図３８乃至図４１に示すように、切替ハンドル２１の筒中心線Ｂと同心に配置されて、各円筒弁体７６，７７（各第１及び第２ハンドル規制突部８３，８５）から切替ハンドル２１の大径穴部３３Ａ内及び中径穴部３３Ｂ内（ハンドル穴３３内）に挿入される。
切替弁体２７は、図３８及び図３９に示すように、第１弁体円筒部７１を切替ハンドル２１の中径穴部３３Ｂ内（ハンドル穴３３内）に挿入して、ハンドルユニットＨＵの切替ハンドル２１内に配置される。
【０１２１】
切替弁体２７は、図３８、図３９及び図４１に示すように、各第１弁体突部８０を切替ハンドル２１の各第１保持溝３５内に挿入し、及び各第２弁体突部８１を切替ハンドル２１の各第２保持溝３６内に挿入して、ハンドルユニットＨＵの切替ハンドル２１内に配置される。
これにより、切替弁体２７は、切替ハンドル２１に回転不能に取付けられ、切替ハンドル２１と共に回転される。
切替弁体２７は、図３８及び図４０に示すように、各円筒弁体７６，７７を切替弁座体２５の弁座円板６３の板表平面６３Ａに当接して、切替ハンドル２１内に配置される。各円筒弁体７６，７７は、各シールリング２８を介して弁座円板６３の板表平面６３Ａに当接される。切替弁座体２５において、弁座円板６３は、図６８に示すように、コイルバネ３０のバネ力によって、各円筒弁体７６，７７のシールリング２８に付勢される。
【０１２２】
切替弁体２７は、図３８乃至図４０に示すように、各第１弁体突部８０を切替ハンドル２１の各第１保持溝３５内に挿入することで、各円筒弁体７６，７７を切替弁座体２５の各弁座穴６４，６５と同じ位置に配置する。
これにより、切替弁体２７の各円筒弁体７６，７７は、図６８及び図７０に示すように、各弁体穴８８，９０を各弁座穴６４，６５に開口する。
各円筒弁体７６，７７（各弁体穴８８，９０）は、切替弁座体２５の各弁座穴６４，６５、切替ベース２２の各ベース流路Ｚを通して、流出路１０及び流入路９に連通される。
【０１２３】
切替弁体２７は、図３８、図３９及び図４１に示すように、各第１弁体突部８０を切替ハンドル２１の各第１保持溝３５内に挿入することで、１の第１ハンドル規制突部８３の弁体規制平面８３Ａを切替ベース２２のベース突起５９（第１ベース規制平面５９Ａ）に当接し、及び１の第２ハンドル規制突部８５の弁体規制平面８５Ａを切替ベース２２のベース突起６０（第４ベース規制平面６０Ｂ）に当接して配置される。
これにより、切替ハンドル２１及び切替弁体２７は、図４１に示すように、切替ベース２２の各ベース突起５９，６０の間において、角度：９０度の範囲内で回転自在にされる。
【０１２４】
切替弁体２７において、第２弁体円筒部７３は、図３８及び図３９に示すように、切替ハンドル２１の大径穴部３３Ａ内に開口され、各弁体流路７８，７９（弁体円板７４の板表平面７４Ａ）を切替ハンドル２１の大径穴部３３Ａ内（ハンドル穴３３内）に連通する。
切替弁体２７の各弁体流路７８，７９は、各弁体穴８８，９０、切替弁座体２５の各弁座穴６４，６５、及び切替ベース２２の各ベース流路Ｚを通して、流出路１０及び流入路９に連通される。
各弁体流路７８，７９は、第２弁体円筒部７３のシャワー流出穴８７を通して、切替ハンドル２１の大径穴部３３Ａ（ハンドル穴３３）に連通される。
【０１２５】
切替弁体２７において、各外側流出穴８２は、図３８及び図３９に示すように、弁体円環板７２及び切替弁座体２５の弁体円板７４の間に開口され、及び切替ハンドル２１の大径穴部３３Ａ内（ハンドル穴３３内）に開口される。
これにより、各外側流出穴８２は、切替弁体２７の各弁座穴６４，６５、切替ベース２２各ベース流入路Ｚを通して、流出路１０及び流入路９に連通される。
【０１２６】
このように、流路切替手段２は、図３０〜図４１に示すように、シャワー本体１内（ヘッド部７内）に配置されて、シャワー本体１に取付けられる。
【０１２７】
シャワーヘッドＸにおいて、散水ノズル３（散液ノズル）は、図１乃至図４、図４２乃至図４５に示すように、シャワー本体１の他端１Ｂ（ヘッド部７の円形端７Ｂ）に取付けられる。
【０１２８】
散水ノズル３は、図４２乃至図４５に示すように、合成樹脂で円筒状に形成される。
散水ノズル３は、ノズル外側円筒部９５、散水ノズル板９６、散水円筒部９７（ノズル内側円筒部）、複数の気泡液噴射穴９８及びシールリング１０３を有する。
【０１２９】
ノズル外側円筒部９５は、図４２、図４４及び図４５に示すように、円筒径に形成され、
シール溝９９及びネジ部１００を有する。
シール溝９９は、図４２及び図４４に示すように、円環溝に形成され、散水ノズル３の筒中心線Ｈの方向において、ノズル外側円筒部９５の一方の筒端９５Ａ側に配置される。シール溝９９は、散水ノズル３（ノズル外が側円筒部９５）の筒中心線Ｈ（中心線）を中心として、ノズル外側円筒部９５と同心に配置され、ノズル外側円筒部９５の全外周面にわたって形成される。シール溝９９は、散水ノズル３の筒中心線Ｈと直交する方向に溝深さを有して、ノズル外側円筒部９５の外周面に開口される。
ネジ部１００は、図４２、図４４及び図４５に示すように、散水ノズル３の筒中心線Ｈの方向において、ノズル外側円筒部９５の他方の筒端９５Ｂ側に配置される。ネジ部１００は、散水ノズル３の筒中心線Ｈの方向において、シール溝９９及びノズル外側円筒部９５の他方の筒端９５Ｂの間に配置される。ネジ部１００は、ノズル外側円筒部９５の全外周面にわたって形成される。
【０１３０】
散水ノズル板９６（散液ノズル板）は、図４２乃至図４５に示すように、円形板に形成される。散水ノズル板９６は、散水ノズル３の筒中心線Ｈを中心として、ノズル外側円筒部９５と同心に配置される。
散水ノズル板９６は、図４３に示すように、ノズル外側円筒部９５の外直径と同一の板直径：Ｄ７を有して、ノズル外側円筒部９５の一方の筒端９５Ａを閉塞する。
散水ノズル板９６は、ノズル外側円筒部９５の一方に筒端９５Ａに固定されて、ノズル外側円筒部９５と一体に形成される。
【０１３１】
散水円筒部９７は、図４２（ｂ）、図４４（ｂ）及び図４５に示すように、円筒状に形成される。
散水円筒部９７（散液円筒部）は、散水ノズル３の筒中心線Ｈを中心として、ノズル外側円筒部９５及び散水ノズル板９６と同心に配置される。散水円筒部９７は、散水ノズル３の筒中心線Ｈと直交する方向において、ノズル外側円筒部９５の内周面の間にミスト環状空間ＹＭを隔てて、ノズル外側円筒部９５内に配置される。
散水円筒部９７は、一方の筒端９７Ａを散水ノズル板９６で閉塞して、散水ノズル板９６に一体に形成される。散水円筒部９７は、散水ノズル３の筒中心線Ｈの方向において、散水ノズル板９６の板裏平面９６Ｂからノズル外側円筒部９５内に突出される。
【０１３２】
散水円筒部９７は、図４２（ｂ）、図４４（ｂ）及び図４５に示すように、散水ノズル板９６側において、シール段部１０１を有して拡径して形成される。シール段部１０１は、円状に形成されて、散水ノズル３の筒中心線Ｈを中心として、散水円筒部９７と同心に配置される。散水円筒部９７の全外周面にわたって形成される。
【０１３３】
散水円筒部９７は、図４２（ｂ）、４４（ｂ）及び図４５に示すように、ノズル穴１０２を有する。
ノズル穴１０２は、図４４（ｂ）及び図４５に示すように、円形穴に形成される。ノズル穴１０２は、散水ノズル３の筒中心線Ｈ（中心線）を中心として、散水円筒部９７と同心に配置される。ノズル穴１０２は、散水ノズル３の筒中心線Ｈの方向において、散水ノズル板９６の板裏平面９６Ｂから散水円筒部９７の他方の筒端９７Ｂまで延在して、他方の筒端９７Ｂに開口される。
【０１３４】
ノズル穴１０２は、図４２（ｂ）、図４４（ｂ）及び図４５に示すように、大径穴部１０２Ａ、中径穴部１０２Ｂ及び小径穴部１０２Ｃを有する。
大径穴部１０２Ａは、散水円筒部９７の一方の筒端９７Ｂに開口される。中径穴部１０２Ｂは、大径穴部１０２Ａ及び小径穴部１０２Ｃの間に配置される。中径穴部１０２Ｂは、大径穴部１０２Ａから第１穴段部１０２Ｄを有して縮径されて、散水ノズル板９６側に延在される。小径穴部１０２Ｃは、中径穴部１０２Ｂから第２穴段部１０２Ｅを有して縮径されて、散水ノズル板９６（板裏平面９６Ｂ）まで延在される。
これにより、散水円筒部９７は、液体が他方の筒端９７Ｂから流入される気泡混入空所ＢＲを形成する。気泡混入空所ＢＲは、ノズル穴１０２にて散水円筒部９７内に形成される。
散水円筒部９７は、図４４（ｂ）に示すように、小径穴部１０２Ｃ（ノズル穴１０２）の穴直径：ｄ５、及び散水ノズル３の筒中心線Ｈの方向に小径穴部１０２Ｃの穴長：Ｌ１を有する。
【０１３５】
複数の気泡液噴射穴９８は、図４２、図４３、図４４（ｂ）及び図４５に示すように、円形の絞り穴（ノズル絞り穴）に形成され、気泡混入空所ＢＲ内から気泡混入液体を噴射する。
各気泡液噴射穴９８は、散水ノズル板９６に形成される。各気泡液噴射穴９８は、散水ノズル３の筒中心線Ｈの方向において、散水ノズル板９６を貫通して、散水円筒部９７内の気泡混入空所ＢＲ内に開口する。
各気泡液噴射穴９８は、図４３に示すように、散水ノズル３の筒中心線Ｈ（中心線）を中心として、円半径ｒ３，ｒ４，ｒ５（ｒ３＜ｒ４＜ｒ５）の異なる複数の円ＣＤ，ＣＥ，ＣＦ上（同心円上）に複数配置される。各円ＣＤ，ＣＥ，ＣＦ上において、各気泡液噴射穴９８は、散水ノズル３の周方向に等間隔（等ピッチ）を隔てて配置される。
【０１３６】
シールリング１０３は、図４４及び図４５に示すように、合成ゴム等の弾性材で円環状に形成される。
シールリング１０３は、ノズル外側円筒部９５に外嵌されて、シール溝９９内に装着される。シールリング１０３は、ノズル外側円筒部９５の外周面から突出してシール溝９９内に配置される。
【０１３７】
シャワーヘッドＸにおいて、気泡液発生手段４（気泡発生ユニット）は、液体に空気（気泡）を混入して気泡混入液体を発生する。
気泡液発生手段４は、図２、図４及び図４２乃至図４９に示すように、整流駒１１１、及び複数（３つ）の空気導入路１１２を備える。
【０１３８】
整流駒１１１は、図４６乃至図４９に示すように、合成樹脂で円筒形に形成される。整流駒１１１は、整流円筒部１１３、整流ノズル円板１１４、整流円環板１１５、複数（４枚）の整流駒板１１６、及び複数の液絞り穴１１７を有する。
【０１３９】
整流円筒部１１３は、図４６乃至図４９に示すように、円筒状に形成される。
【０１４０】
整流ノズル円板１１４は、図４６乃至図４９に示すように、円形板であって、整流円筒部１１３の外直径と同じ板直径に形成される。整流ノズル円板１１４は、整流駒１１１（整流円筒部１１３）の筒中心線Ｊ（中心線）を中心として、整流円筒部１１３と同心に配置される。整流ノズル円板１１４は、整流円筒部１１３の一方の筒端１１３Ａを閉塞して、整流円筒部１１３に固定される。整流ノズル円板１１４は、整流円筒部１１３と一体に形成される。
【０１４１】
整流円環板１１５は、図４６乃至図４９に示すように、円環状に形成される。整流円環板１１５は、整流駒１１１の筒中心線Ｊを中心として、整流円筒部１１３及び整流ノズル円板１１４と同心に配置される。整流円環板１１５は、整流円筒部１１３の他方の筒端１１３Ｂ側に配置される。
整流円環板１１５は、整流円筒部１１３の他方の筒端１１３Ｂにおいて、整流円筒部１１３の全外周面に沿って配置されて、整流円筒部１１３に一体に形成される。整流円環板１１５は、整流駒１１１（整流円筒部１１３）の筒中心線Ｊと直交する方向において、整流円筒部１１３の外周面から突出される。
【０１４２】
４枚の各整流駒板１１６は、図４６乃至図４９に示すように、整流ノズル円板１１４に形成される。
各整流駒板１１６は、矩形状（長方形）に形成される。各整流駒板１１６は、整流ノズル円板１１４（整流駒１１１）の周方向に角度：９０度の等間隔を隔てて配置される。
各整流駒板１１６は、整流駒１１１の筒中心線Ｊ（中心線）の方向において、整流ノズル円板１１４の板表平面１１４Ａから板幅：ＨＳを有して突出される。各整流駒板１１６は、整流ノズル円板１１４に直交して整流円筒部１１３の他方の筒端１１３Ｂから離間する方向に突出される。
各整流駒板１１６は、図４６（ａ）及び図４７に示すように、整流ノズル円板１１４の板中心線Ｊ（整流駒１１１の筒中心線）から板長：ＬＳを有して、整流ノズル円板１１４の外周面側（整流円筒部１１３の外周面側）に延在される。各整流駒板１１６は、整流ノズル円板１１４の板中心線Ｊと直交する方向において、整流ノズル円板１１４の外周面に隙間を隔てて延在される。
各整流駒板１１６は、整流ノズル円板１１４の周方向（整流駒１１１の周方向）に板厚：ＴＳを有する。
【０１４３】
各整流駒板１１６は、図４６（ａ）、図４７、図４８及び図４９（ｂ）に示すように、整流板平面１１６Ａ，１１６Ｂ、及び流れ傾斜面１１８を有する。
各整流板平面１１６Ａ，１１６Ｂは、整流ノズル円板１１４の周方向において、板厚：ＴＳを隔てて平行する矩形状に形成される。
流れ傾斜面１１８は、図４８（ｂ）に示すように、整流駒１１１の筒中止線Ｊの方向において、各整流駒板１１６の突出端１１６Ｄ（一方の板幅端）から一方の整流板平面１１６Ａ、及び整流ノズル円板１１４（板表平面１１４Ａ）に向けて延在されつつ傾斜して形成される。流れ傾斜面１１８は、例えば、各整流駒板１１６の突出端１１６Ｄ及び一方の整流板平面１１６Ａの間において、半径：ｒＸで突出する孤状に形成される。
【０１４４】
複数の液絞り穴１１７は、図４６、図４７及び図４９（ａ）に示すように、各整流駒板１１６の間の整流ノズル円板１１４に形成される。各液絞り穴１１７は、整流駒１１１の筒中心線Ｊ（整流ノズル円板１１４の板中心線Ｊ）の方向において、整流ノズル円板１１４を貫通して、整流ノズル円板１１４の板表平面１１４Ａ及び板裏平面１１４Ｂに開口される。各液絞り穴１１７は、穴中心線Ｍを整流ノズル円板１１４の板中心線Ｊと平行に配置して、整流ノズル円板１１４を貫通する。各液絞り穴１１７は、整流ノズル円板１１４の板裏平面１１４Ｂに開口して、整流円筒部１１３内に連通される。
各液絞り穴１１７は、整流ノズル円板１１４の板中心線Ｊ（整流駒１１１の筒中心線）の方向において、整流ノズル円板１１４の板裏平面１１４Ｂから板表平面１１４Ａに向けて段々に縮径する円錐穴に形成される。
【０１４５】
各液絞り穴１１７は、図４７に示すように、整流ノズル円板１１４の板中心線Ｊを中心として、円半径：ｒ６，ｒ７，ｒ８（ｒ６＜ｒ６＜ｒ７）の異なる複数の円ＣＧ，ＣＨ，ＣＩ上に複数配置される。
各円ＣＧ，ＣＨ，ＣＩ上において、各液絞り穴１１７は、整流ノズル円板１１４（整流駒１１１）の周方向（円周方向）に等間隔（等ピッチ）で複数配置される。
【０１４６】
整流駒１１１は、図４８（ｂ）に示すように、整流駒１１１の筒中心線Ｊの方向において、各整流駒板１１６の突出端１１６Ｄ及び整流円筒部１１３の他方の筒端１１３Ｂの間の駒高さ：ＨＰであって、散水円筒部９７の小径穴部１０２Ｃの穴長：Ｌ１より小さくされている。
【０１４７】
気泡液発生手段４において、複数（３つ）の空気導入路１１２は、図４２乃至図４５に示すように、散水ノズル３に形成される。
各空気導入路１１２は、散水ノズル３の筒中心線Ｈ（中心線）を中心として、各気泡液噴射穴９８の外側に位置する円ＣＪ上に配置される。各空気導入路１１２は、散水ノズル３（散水円筒部９７）の周方向に角度：１２０度の等間隔を隔てて配置される。
【０１４８】
各空気導入路１１２は、散水ノズル板９６の板表面９６Ａに開口される。各空気導入路１１２は、図４４（ｂ）に示すように、散水ノズル３の筒中心線Ｈの方向において、散水ノズル板９６の板表面９６Ａから散水円筒部９７の他方の筒端９７Ｂ側に延在される。各空気導入路１１２は、散水円筒部９７の筒端９７Ｂ側において、散水ノズル３の筒中心線Ｈと直交する方向から、散水円筒部９７を貫通する。
各空気導入路１１２は、散水円筒部９７内の気泡混入空所ＢＲに開口される。各空気導入路１１２は、散水円筒部９７の第２穴段部１１２Ｅに隣接して、中径穴部１０２Ｂ内（ノズル穴１０２内）に開口される。
【０１４９】
気泡液発生手段４において、整流駒１１１は、図５０及び図５１に示すように、散水ノズル３内に組込まれる。
整流駒１１１は、散水ノズル３の筒中心線Ｈを中心として、散水円筒部９７と同心に配置される。整流駒１１１は、散水円筒部９７の気泡混入空所ＢＲ内に配置される。整流駒１１１は、各整流駒板１１６から散水円筒部９７のノズル穴１０２内（大径穴部１０２Ａ内及び中径穴部１０２Ｂ内）に圧入（挿入）される。
整流駒１１１において、整流円筒部１１３は、散水円筒部９７の中径穴部１０２Ｂ内に圧入（挿入）される。整流円筒部１１３は、散水ノズル３の筒中心線Ｈにおいて、整流ノズル円板１１４の板裏平面１１４Ｂ及びノズル穴１０２の第２穴段部１０２Ｅの間に隙間を隔てて、散水円筒部９７の中径穴部１０２Ｂ（ノズル穴１０２）に圧入（挿入）される。このとき、整流駒１１は、図５０（ａ）に示すように、散水ノズル３の周方向において、１の整流駒板１１６を１の空気導入路１１２の中央に配置して、散水円筒部９７内に圧入される。
整流駒１１１において、整流円環板１１５は、散水円筒部９７の大径穴部１０２Ａに圧入（挿入）されて、第１穴段部１０２Ｄに当接される。
これにより、整流駒１１１において、整流ノズル円板１１４は、図５１に示すように、散水ノズル３の筒中心線Ｈの方向において、散水ノズル板９６の板裏平面９６Ｂに間隔を隔てて、散水円筒部９７の気泡混入空所ＢＲ内に配置される。整流ノズル円板１１４及び整流円環板１１５は、散水円筒部９７の他方の筒端９７Ｂを液密に閉塞して、散水円筒部９７に固定される。
整流駒１１１において、各整流駒板１１６は、図５０（ｂ）に示すように、散水ノズル板９６及び整流ノズル円板１１４の間の気泡混入空所ＢＲ内に配置される。
各整流駒板１１６は、図５１（ｂ）に示すように、散水ノズル３の筒中心線Ｈ（整流駒１１１の筒中心線Ｊ）の方向において、整流ノズル円板１１４から散水ノズル板９６に向けて突出して、散水ノズル板９６の板裏平面９６Ｂ及び突出端１１６Ｄの間に混入隙間ＧＰを隔てて配置される。各整流駒板１１６は、図５１（ｂ）に示すように、整流ノズル円板１１４の板中心線Ｊ（散水ノズル３の筒中心線Ｈ）から散水円筒部９７に延在される。各整流駒板１１６は、散水円筒部９７の内周面の間に隙間を隔てて配置される。
【０１５０】
整流駒１１１において、各液絞り穴１１７は、図５０（ａ）に示すように、穴中心線Ｍを散水円筒部９７（散水ノズル３）の筒中心線Ｈ（中心線）と平行に配置される。各液絞り穴１１７は、散水ノズル板９６及び整流ノズル円板１１４の間の気泡混入空所ＢＲ内に開口される。
【０１５１】
各空気導入路１１２は、図５１（ｂ）に示すように、散水ノズル３の筒中心線Ｈの方向の各整流駒板１１６の突出端１１６Ｄ及び整流ノズル円板１１４の板表平面１１４Ａの間において、散水円筒部９７の筒中心線Ｈと直交する方向から気泡混入空所ＢＲに開口される。各空気導入路１１２は、図５０（ｂ）に示すように、整流ノズル円板１１４の板表平面１１４Ａに隣接して、気泡混入空所ＢＲに開口される。
これにより、各空気導入路１１２は、各液絞り穴１１７の穴中心線Ｍと直交する方向から気泡混入空所ＢＲ内に空気を流入する。
各空気導入路１１２は、図４４（ｂ）及び図５１（ａ）に示すように、散水円筒部９７（散水ノズル３）の周方向に開口幅（穴幅）ＡＨ、及び散水円筒部９７（散水ノズル３）の筒中心線Ｈの方向Ｈに開口高さ（穴高さ）：ＡＬを有する矩形状穴（長方形穴）として、気泡混入空所ＢＲに開口される。各空気導入路１１２において、開口幅ＡＨは、各整流駒板１１６の板幅：ＨＳより幅広である。
【０１５２】
このように、気泡液発生手段４は、図５０及び図５１に示すように、整流駒１１１を散水ノズル３内（散水円筒部９７内）に組込んで配置する。
【０１５３】
シャワーヘッドＸにおいて、ミスト発生手段５（ミスト発生ユニット）は、液体から気泡を混入したミスト状の液滴にする。
ミスト発生手段５は、図１乃至図５、図４３乃至図４５及び図５２乃至図５５に示すように、複数のミスト絞り穴１２１、ミストリング体１２２及びシールリング１３０を有する。
【０１５４】
複数のミスト絞り穴１２１は、図４２（ａ）、図４３、図４４（ｂ）及び図４５に示すように、散水ノズル板９６（散水ノズル３）に形成される。ミスト絞り穴１２１の穴数は、例えば、１２穴である。
各ミスト絞り穴１２は、図４３（ａ）に示すように、各気泡液噴射穴９８の外側の散水ノズル板９６に配置される。各ミスト絞り穴１２１は、散水ノズル３（散水円筒部９７）の筒中心線Ｈ（中心線）を中心として、各気泡液噴射穴９８の外側に位置する円ＣＫ上（同心円上）に配置される。
各ミスト絞り穴１２１は、図４３に示すように、散水ノズル３（散水円筒部９７）の周方向に角度：３０度の等間隔（等ピッチ）を隔てて配置される。
これにより、複数のミスト絞り穴１２１は、各気泡液噴射穴９８（気泡液発生手段４）の外側の散水ノズル３に配置される。
【０１５５】
各ミスト絞り穴１２１は、図４２、図４３、図４４（ｂ）及び図４５に示すように、散水ノズル３の筒中心線Ｈの方向において、散水ノズル板９６を貫通して、散水ノズル板９６の板表面９６Ａ及び板裏平面９６Ｂに開口される。各ミスト絞り穴１２１は、散水ノズル３の筒中心方向Ｈと直交する方向において、各空気導入路１１２（各気泡液噴射穴９８）の外側に配置されて、ミスト環状空間ＹＭに開口する。
各ミスト絞り穴１２１は、図４４（ｂ）に示すように、散水ノズル３の筒中心線Ｈの方向において、散水ノズル板９６の板裏平面９６Ｂから板表面９６Ａに向けて段々に縮径する円錐穴に形成される。
各ミスト絞り穴１２１は、図４４に示すように、散水ノズル３の筒中心線Ｈの方向に穴長：ＭＬを有する。各ミスト絞り穴１２１は、図４５に示すように、散水ノズル板９６の板表面９６Ａに穴直径：ｄＭ、板裏平面９６Ｂに穴直径：ｄＦを有する（穴直径ｄＭ＞穴直径：ｄＦ）。
【０１５６】
ミストリング体１２２は、図５２乃至図５５に示すように、ガイドリング１２３、及び複数のミストガイド１２４を有する。
【０１５７】
ガイドリング１２３は、図５２乃至図５５に示すように、合成樹脂で円環状に形成される。ガイドリング１２３は、図４３及び図５４（ａ）に示すように、各ミスト絞り穴１２１を配置した円ＣＫと同じリング直径：Ｄ８の中心円ＣＬを有する。
ガイドリング１２３は、図５２乃至図５５に示すように、複数のガイド突起１２５を有する。ガイド突起１２５の個数は、例えば、ミスト絞り穴１２１と同じ数（１２個）である。
各ガイド突起１２５は、ガイドリング１２３の円ＣＬ上に配置される。各ガイド突起１２５は、ガイドリング１２３の周方向に角度：３０度の等間隔を隔てて配置される。各ガイド突起１２５は、ミストリング体１２２（ガイドリング１２３）の中心線Ｋと直交する方向に突出して、ガイドリング１２３に一体に形成される。
【０１５８】
複数のミストガイド１２４は、図５２乃至図５５に示すように、合成樹脂で円錐渦巻き（円錐螺旋状、又は円錐台の渦巻き状）に形成される。各ミストガイド１２４は、図５２（ｂ）に示すように、円錐上面１２４Ａ、円錐底平面１２４Ｂ、円錐側面１２４Ｃ及び複数の渦巻き面であって、例えば、第１及び第２渦巻き面１２７，１２８（螺旋状面）を備える。ミストガイド１２４の個数は、ミスト絞り穴１２１と同じ数（１２個）である。
【０１５９】
第１及び第２渦巻き面１２７，１２８は、同一渦巻き状に形成される。第１及び第２渦巻き面１２７，１２８は、円錐側面１２４Ｃに交差して円錐底平面１２４Ｂ及び円錐上面１２４Ａの間に配置される。
第１及び第２渦巻き面１２７，１２８は、円錐中心線Ｌを対称点として点対称に配置される。第２渦巻き面１２８は、円錐中心線Ｌを中心として、第１渦巻き面１２７の位置から角度：１８０度だけ回転して配置される。
第１及び第２渦巻き面１２７，１２８は、円錐底平面１２４Ｂから円錐上面１２４Ａに向けて縮径しつつ渦巻き状に形成されて、円錐上面１２４Ａまで延在される。
第１及び第２渦巻き面１２７，１２８は、円錐上面１２４Ａにおいて、相互に対向して配置される。
【０１６０】
各ミストガイド１２４は、図５４（ａ）に示すように、円錐中心線Ｌの方向にガイド高さ：ＧＬを有する。ガイド高さ：ＧＬは、各ミスト絞り穴１２１の穴長：ＭＬより低くされる。
各ミストガイド１２４は、図５５（ａ）に示すように、円錐底平面１２４Ｂの最大底幅：ＧＨを有する。最大底幅：ＧＨは、各ミスト絞り穴１２１の穴直径：dＭより幅狭である。
【０１６１】
各ミストガイド１２４は、図５２乃至図５５に示すように、ガイドリング１２３に固定されて、ガイドリング１２３と一体に形成される。各ミストガイド１２４は、図５３（ａ）に示すように、ガイドリング１２３の円ＣＬ上に配置される。各ミストガイド１２４は、円錐中心線Ｌ（ガイド中心線）をガイドリング１２３の円ＣＬ上に位置して配置される。各ミストガイド１２４は、ガイドリング１２３の周方向に角度：３０度の等間隔を隔てて、各ガイド突起１２５の間に配置される。各ミストガイド１２４は、円錐底平面１２４Ｂにおいて、第１及び第２渦巻き面１２７，１２８の面端をガイドリング１２３の外周面及び内周面に位置（一致）して配置される。
各ミストガイド１２４は、図５２、図５４（ｂ）及び図５５に示すように、円錐底平面１２４Ｂをガイドリング１２３上に当接して、ガイドリング１２３に一体に固定（形成）される。各ミストガイド１２４において、円錐底平面１２４Ｂは、図５５に示すように、ミストリング体１２２（ガイドリング１２３）の中心線Ｋと直交する方向において、ガイドリング１２３の内周面及び外周面から突出してガイドリング１２３に固定される。
これにより、各ミストガイド１２４及びガイドリング１２３は、ミストリング体１２２を構成する。ミストリング体１２２は、ガイドリング１２３、各ミストガイド１２４及び各ガイド突起１２５を一体に形成して構成される。
【０１６２】
ミスト発生手段５において、ミストリング体１２２（ガイドリング１２３及び各ミストガイド１２４）は、図５６及び図５７に示すように、散水ノズル３内に組込まれる。
ミストリング体１２２は、図５６及び図５７に示すように、散水ノズル３（散水円筒部９７）の筒中心線Ｈ（中心線）を中心として、散水円筒部９７と同心に配置される。ミストリング体１２２は、ガイドリング１２３を散水円筒部９７に外嵌して、ミスト環状空間ＹＭ内に配置される。これにより、ガイドリング１２３は、各気泡液噴射穴９８の外側に配置される。
【０１６３】
ミストリング体１２２は、図５６及び図５７に示すように、各ミストガイド１２４を各ミスト絞り穴１２１内に挿入して配置される。ミストリング体１２２は、ミスト環状空間ＹＭにおいて、各ミストガイド１２４の円錐上面１２４Ａを各ミスト絞り穴１２１に向け配置される。
各ミストガイド１２４は、円錐上面１２４Ａから各ミスト絞り穴１２１内に挿入される。各ミストガイド１２４は、円錐中心線Ｌを各ミスト絞り穴１２１の穴中心線Ｎに一致して、各ミスト絞り穴１２１内に配置される。各ミストガイド１２４は、円錐側面１２４Ｃ及び各ミスト絞り穴１２１の円錐内周面１２１Ａの間に隙間を隔てて、円錐上面１２４Ａから各ミスト絞り穴１２１内に挿入される。各ミストガイド１２４は、円錐底平面１２４Ｂ側（円錐底平面１２４Ｂ側の円錐側面１２４Ｃ）を各ミスト絞り穴１２１の円錐内周面１２１Ａに当接して、各ミスト絞り穴１２１内に装着される。
これにより、各ミストガイド１２４は、第１及び第２渦巻き面１２７，１２８、各ミスト絞り穴１２１の円錐内周面１２１Ａ、及び円錐側面１２４Ｃの間に、渦巻き状の第１及び第２ミスト流路δ１，δ２を形成して、各ミスト絞り穴１２１内に装着される。各ミストガイド１２４及び各ミスト絞り穴１２１は、第１及び第２渦巻き面１２７，１２８に沿って渦巻き状（螺旋状）の第１及び第２ミスト流路δ１，δ２を形成する。第１及び第２ミスト流路δ１，δ２は、５７（ｂ）に示すように、第１及び第２渦巻き面１２７，１２８、ミスト絞り穴１２１の円錐内周面１２１Ａ及びミストガイド１２４の円錐側面１２４Ｃの間に渦巻き状に形成される。第１及び第２ミスト流路δ１，δ２は、散水ノズル３の筒中心線Ｈの方向において、ミストガイド１２４の円錐底平面１２４Ｂから円錐上面１２４Ａに渦巻き状に延在されて、各ミスト絞り穴１２１内及び散水ノズル板９６の板裏平面９６Ｂに開口される。
【０１６４】
ガイドリング１２３及び各ガイド突起１２５は、図５６及び図５７に示すように、各ミストガイド１２４の各ミスト絞り穴１２１内への挿入に伴って、ミスト環状空間ＹＭ内から散水ノズル板９６に板裏平面１２６Ｂに当接される。
【０１６５】
シールリング１３０は、図５７（ａ）に示すように、散水ノズル３の散水円筒部９７に外嵌されて、シール段部１０１に当接される。シールリング１３０は、散水ノズル３の筒中心線Ｈと直交する方向において、散水円筒部９７の外周面からミスト環状空間ＹＭに突出して、散水円筒部９７に外嵌される。
これより、シールリング１３０は、ミストリング体１２２のガイド突起１２５に当接自在であって、ミストリング体１２２の抜止めとなる。
【０１６６】
散水ノズル３、気泡液発生手段４及びミスト発生手段５は、図５０、図５１、図５６及び図５７に示すように、整流駒１１１及びミストリング体１２２（ガイドリング１２３及びミストガイド１２４）を散水ノズル３内に組込んでノズルユニットＮＵを構成する。
【０１６７】
ノズルユニットＮＵ（散水ノズル３、気泡液発生手段４及びミスト発生手段５）は、図５８乃至図６０に示すように、シャワー本体１（ヘッド部７）に取付けた流路切替手段２内（切替ハンドル２１内）に配置される。
【０１６８】
ノズルユニットＮＵは、図５８に示すように、整流駒１１１（整流ノズル円板１１４の板裏平面１１４Ｂ）を切替ハンドル２１の大径穴部３３Ａ（ハンドル穴３３）に向けて配置される。ノズルユニットＮＵは、切替ハンドル２１の筒中心線Ｂを中心として、切替ハンドル２１と同心に配置される。
【０１６９】
ノズルユニットＮＵは、図５８に示すように、散水ノズル３のノズル外側円筒部９５の他方の筒端９５Ｂから切替ハンドル２１の大径穴部３３Ａ内に挿入される。
ノズルユニットＮＵは、散水ノズル３のネジ部１００を切替ハンドル２１のネジ部３４に螺着して配置される。ノズルユニットＮＵを回転して、散水ノズル３のノズル外側円筒部９５を切替ハンドル２１の大径穴部３３Ａ内（ハンドル穴内）に収納する。散水ノズル３は、ノズル外側円筒部９５の他方の筒端９５Ｂが切替弁体２７の各第１弁体突部８０に当接するまで回転される。
このとき、散水ノズル３のシールリング１０３は、切替ハンドル２１の大径穴部３３Ａに圧接されて、大径穴部３３Ａを液密にする。
これにより、ノズルユニットＮＵの散水ノズル３は、切替ハンドル２１に固定され、及シャワー本体１の他端１Ｂに取付けられる。
散水ノズル３において、散水ノズル板９６は、液流入空間ＲＰを流出路１０の間に形成する。液流入空間ＲＰは、液密空間であって、流出路１０を通して液体が流入される。
【０１７０】
ノズルユニットＮＵにおいて、散水ノズル３の散水円筒部９７、及び整流駒１１１は、図５８に示すように、液流入空間ＲＰ内において、切替弁体２７の大径穴部８７Ａ内（シャワー流出穴８７内／第２弁体円筒部７３内）に挿入される。散水円筒部９７及び整流駒１１１は、切替弁体２７の筒中心線Ｆの方向において、他方の筒端９７Ｂ及び弁体円板７４（板表平面７４Ａ）の間に隙間を隔てて配置される。散水ノズル３のシールリング１３０は、液流入空間ＲＰ内において、切替弁体２７の大径穴部８７Ａ内（シャワー流出穴８７内）に挿入されて、切替弁体２７の穴段部８７Ｃに当接される。シールリング１３０は、大径穴部８７Ａ内において、第２弁体円筒部７３の内周面に圧接されて、切替弁体２７の大径穴部８７Ａを液密にする。
これにより、散水ノズル３の散水円筒部９７は、流出路１０側（液流入空間ＲＰ内）に突出されて、切替弁体２７の大径穴部８７Ａ内（シャワー流出穴８７）に挿入される。散水円筒部９７は、流出路１０から流出された液体（液流入空間ＰＲ内の液体）であって、切替弁体２７から流出された液体が他方の筒端９７Ｂ（整流駒１１１の各液絞り穴１１７）から気泡混入空所ＢＲに流入される。
【０１７１】
ノズルユニットＮＵにおいて、散水ノズル３を切替ハンドル２１に固定すると、散水ノズル３、整流駒１１１（気泡液発生手段４）、ミストリング体１２２（ミスト発生手段５）、及び切替弁体２７は、切替弁座体２５、切替ベース２２及びシャワー本体１に対して、切替ハンドル２１と共に回転自在とされる。
【０１７２】
気泡液発生手段４において、整流駒１１１は、図５８に示すように、切替弁体２７の弁体円板７４（板表平面７４Ａ）に隙間を隔てて配置されて、切替弁体２７大径穴部８７Ａ内（第２弁体円筒部７３内）に挿入される。
これにより、各液絞り穴１１７は、図６０に示すように、流出路１０側（液流入空間ＲＰ内）に開口して、切替弁体２７の大径穴部８７Ａ及び気泡混入空所ＢＲに開口される。各液絞り穴１１７は、流出路１０から流出された液体（液流入空間ＲＰ内の液体（であって、切替弁体２７から流出される液体を気泡混入空所ＢＲ内に噴射する。
【０１７３】
流路切替手段２は、図５８に示すように、気泡液発生手段４の整流駒１１１及び流出路１０の間、及びシャワー本体１の流出路１０内に配置される。
流路切替手段２において、切替弁座体２５及び切替弁体２７は、整流駒１１１及び流出路１０の間であって、液流入空間ＲＰ内に配置され、切替ベース２２は流出路１０内に配置される。
【０１７４】
ミスト発生手段５は、図５９に示すように、流路切替手段２（切替弁体２７）を通して流入される液体（流出路１０から流出される液体）から気泡の混入するミスト状の液滴にする。
ミスト発生手段５において、各ミスト絞り穴１２１は、流出路１０側であって、散水ノズル板９６及び流路切替手段２（切替弁体２７）の間の液流入空間ＲＰ内に開口される。
これにより、各ミスト絞り穴１２１は、流出路１０側（液流入空間ＢＲ側）から段々に縮径しつつ散水ノズル板９６を貫通する。
各ミスト絞り穴１２１は、切替弁体２７の各外側流出穴８２、切替弁座体２５の各弁座穴６４，６５、及び切替ベース２２の各ベース流入路Ｚ（液流入空間ＰＲ）を通して、流出路１０に連通される。
【０１７５】
ミスト発生手段５において、ミストリング体１２２は、図５９に示すように、ガイドリング１２３を第２弁体円筒部７３の一方の筒端７３Ａに当接して配置される。
ガイドリング１２３及びガイド突起１２５は、流出路１０側（液流入空間ＰＲ側、ミスト環状空間ＹＭ側）から散水ノズル板９６の板裏平面９６Ｂに当接される。
第１及び第２ミスト流路δ１，δ２は、図５９に示すように、流路切替手段２の間に開口して、流出路１０に連通される。
【０１７６】
散水ノズル３を回転すると、切替弁体２７及び切替弁座体２５は、切替ベース２２側に押されて、コイルバネ３０を圧縮する。圧縮されたコイルバネ３０は、バネ力にて切替弁座体２５を切替弁体２７に付勢して、弁座円板６３（板表平面６３Ａ）を各円筒弁体７６，７７のシールリング２８に圧接する。
これにより、各シールリング２８は、各円筒弁体７６，７７の弁体穴８８，９０及び各弁座穴６４，６５を液密に連結する。
【０１７７】
このように、ノズルユニットＮＵ（散水ノズル３、気泡液発生手段４及びミスト発生手段５）、及び流路切替手段２（切替ハンドル２１、切替ベース２２、切替弁座体２５及び切替弁体２７）をシャワー本体１（ヘッド部７）に取付けると、シャワーヘッドＸは、図１乃至図３、図５８乃至図６０に示すように、シャワー位置Ｐ１となる。
【０１７８】
シャワー位置Ｐ１において、切替ハンドル２１は、図１乃至図３、図５８乃至図６０に示すように、シャワー突部３８をシャワー本体１の基準突部１４（最上頂点７ａ）に位置して配置される。
シャワー位置Ｐ１において、切替弁体２７は、図４０に示すように、各円筒弁体７６，７７の弁体穴８８，９０を切替弁座体２５の各弁座穴６４，６５に開口（開弁）して配置される。
シャワー位置Ｐ１において、流路切替手段２は、気泡液発生手段４の各液絞り穴１１７を流出路１０に接続する。整流駒１１１の各液絞り穴１１７は、切替弁体２７の各弁体流路７８，７９、弁体穴８８，９０、切替弁座体２５の各弁座穴６４，６５、及び切替ベース２２の各ベース流入路Ｚを通して、シャワー本体１の流出路１０に連通される。
【０１７９】
シャワー位置Ｐ１において、切替弁体２７は、図４１に示すように、第１及び第２ハンドル規制突部８３，８５の弁体規制平面８３Ａ，８５Ａを切替ベース２２の各ベース突起５９，６０の第１及び第４ベース規制平面５９Ａ，６０Ｂに当接して配置される。
【０１８０】
シャワー位置Ｐ１のシャワーヘッドＸは、図２、図５８及び図５９に示すように、シャワー本体１（ハンドル部６）の流入路９に液体を流入する。
流入路９内に流入した液体は、流出路１０内に流出される。流出路１０は、流入路９から流入される液体を流出する。液体は、図３７及び図５９に示すように、流出路１０から切替ベース２２の各ベース流入路Ｚ内を流れて、液流入空間ＰＲであって、切替弁座体２５の各弁座穴６４，６５内に流入される。
各弁座穴６４，６５内に流入した液体は、図５９に示すように、切替弁体２７の各円筒弁体７６，７７の弁体穴８８，８９内に流れる。
切替弁体２７において、液体は、図３９に示すように、各弁体穴８８，８９から螺旋状の各弁体流路７８，７９を流れて、第２弁体円筒部７３内のシャワー流出穴８７に流出される。
このとき、液体は、図３９に示すように、螺旋状の各弁体流路７８，７９によって、螺旋状に流れて、第２弁体円筒部７３のシャワー流出穴８７の全体にわたって流出される。
【０１８１】
シャワー流出穴８７内に流出した液体は、整流駒１１１（気泡液発生手段４）の各液絞り穴１１７から気泡混入空所ＢＲに噴射される。これにより、各液絞り穴１１７は、流出路１０から流出された液体を気泡混入空所ＢＲ内に噴射する。
このとき、整流駒１１１の各液絞り穴１１７は、図６０に示すように、シャワー流出穴８７内（液流入空間ＰＲ内）の液体を散水ノズル板９６の各気泡液噴射穴９８に向けて気泡混入空所ＢＲ内に噴射する。液体は、気泡混入空所ＢＲ内において、の各整流駒板１１６の間に噴射される。各液体は、気泡混入空所ＢＲ内において、散水円筒部９７（散水ノズル３）の円筒中心線Ｈと平行な流れ（整流）にて散水ノズル板９６及び整流ノズル円板１１４の間に噴射される。
気泡混入空所ＢＲ内に液体を噴射すると、液体の噴射流れによって、各空気導入路１１２から空気が気泡混入空所ＢＲ内に導入される。空気は、各空気導入路１１２から気泡混入空所ＢＲ内の各整流駒板１１６の間に流出される。
各空気導入路１１２は、図６０に示すように、気泡混入空所ＢＲ内において、空気を整流駒１１１の各液絞り穴１１７に隣接する弁体円板７４の板表平面７４Ａに流出する。空気は、気泡混入空所ＢＲ内において、各空気導入路１１２から整流駒１１１の各整流駒板１１６の間に流出（噴射）される。空気は、各液絞り穴１１７の穴中心線Ｍと直交する方向から気泡混入空所ＢＲ内に流出（噴射）される。
これにより、気泡混入空所ＢＲ内に導入された空気は、各液絞り穴１１７からの噴射と同時に液体に混合される。
【０１８２】
気泡混入空所ＢＲ内において、液体及び空気は、各整流駒板１１６の流れ傾斜面１１８に沿って突出端１１６Ｄに導かれて乱流となり、各整流駒板１１６の突出端１１６Ｄ及び散水ノズル板９６の間の混入隙間ＧＰに流出される。
これにより、各整流駒板１１６は、散水ノズル３（散水ノズル板９６）に向けて突出した突出端１１６Ｄ側で各液絞り穴１１７から噴射される液体を乱流にして混入隙間ＧＰに流出する。
気泡混入空所ＢＲ内の混入隙間ＧＰにおいて、液体に混合された空気は乱流によって、マイクロ単位の気泡（マイクロバブル）及びナノ単位の気泡（ウルトラファインバブル）に粉砕（剪断）される。
マイクロ単位の気泡（マイクロバブル）及びナノ単位の気泡（ウルトラファンバブル）は、液体に混入及び溶け込む。
【０１８３】
マイクロ単位の気泡及びナノ単位の気泡を混入する液体（気泡混入液体）は、散水ノズル板９６の各気泡液噴射穴９８から外部に噴射される。各気泡液噴射穴９８は、気泡混入空所ＢＲから気泡混入液体を噴射する。
【０１８４】
シャワー位置Ｐ１のシャワーベッドＸは、図６１に示すように、切替ハンドル２１をシャワー本体１（切替ベース２２、切替弁座体２５）に対して角度：９０度回転して、ミスト突部３９をシャワー本体１の基準突部１４に配置する。
切替弁体２７（流路切替手段２）、散水ノズル３、整流駒１１１（気泡液発生手段４）及びミストリング体１２２（ミスト発生手段５）は、切替ハンドル２１の回転と同時に、回転される。
これにより、シャワーヘッドＸは、シャワー位置Ｐ１からミスト位置Ｐ２となる。
【０１８５】
ミスト位置Ｐ２において、切替弁体２７は、図６３及び図６４に示すように、各円筒弁体７６，７７の弁体穴８８，９０を切替弁座体２５の弁座円板６３（板表平面６３Ａ）で閉塞（閉弁）する。
このとき、各円筒弁体７６，７７は、切替弁体２７の回転に伴って、各シールリング２８を切替弁座体２５の弁座円板６３（板表平面６３Ａ）に摺接して閉弁される。切替弁座体２５の弁座円板６３は、コイルバネ３０のバネ力によって、閉弁した各円筒弁体７６，７７のシールリング２８に圧接される。
これにより、シールリング２８は、各弁体穴８８，９０を液密として、切替弁座体２５の各弁座穴６４，６５から遮断（閉弁）する。
ミスト位置Ｐ２において、流路切替手段２は、ミスト発生手段５の各ミスト絞り穴１２１（ミストリング体１２２）を流出路１０に接続する。各ミスト絞り穴１２１（ミストリング体１２２）は、切替弁体２７の間の液流入空間ＲＰ、切替弁体２７の各外側流出穴８２、切替弁座体２５の各弁座穴６４，６５、及び切替ベース２２の各ベース流入路Ｚを通して、シャワー本体１の流出路１０に連通される。
【０１８６】
ミスト位置Ｐ２において、切替弁体２７は、図６５に示すように、第１及び第２ハンドル規制突部８３，８５の弁体規制平面８３Ａ，８５Ａを切替ベース２２の各ベース突起５９，６０の第２及び第３ベース規制平面５９Ｂ，６０Ａに当接して配置される。
【０１８７】
ミスト位置Ｐ２のシャワーヘッドＸは、図６２に示すように、シャワー本体１（ハンドル部６）の流入路９に液体を流入する。
流入路９に流入した液体は、流出路１０内に流出される。流出路１０は、流入路９から流入される液体を流出する。液体は、図３７及び図６２に示すように、流出路１０から切替ベース２２の各ベース流入路Ｚ内を流れて、液流入空間ＰＲ内であって、切替弁座体２５の各弁座穴６４，６５内に流入される。
各弁座穴６４，６５内に流入した液体は、図６２に示すように、切替弁体２７の各外側流出穴８２から散水ノズル板９６の間の液流入空間ＰＲに流れる。
液体は、液流入空間ＰＲから各ミスト絞り穴１２１内に流入する。
【０１８８】
各ミスト絞り穴１２１内に流入した液体は、図６６に示すように、渦巻き状の第１及び第２ミスト流路δ１，δ２を流れ、各ミスト絞り穴１２１内に流出される。更に各ミスト絞り穴１２１からミスト状の液滴を外部に噴射する。
液体は、渦巻き状の第１及び第２ミスト流路δ１，δ２を流れることによって昇圧されて、第１及び第２ミスト流路δ１，δ２から各ミスト絞り穴１２１内に噴射される。
これにより、第１及び第２ミスト流路δ１，δ２から各ミスト絞り穴１２１に噴射される液体は、高圧で乱流となる。また、各ミスト絞り穴１２１からミスト状の液滴が噴射されると、各ミスト絞り穴１２１の出口側（ミスト状の液滴を噴射した側）で負圧状態となる。
各ミスト絞り穴１２１の出口側を負圧状態にすることで、第１及び第２ミスト流路δ１，δ２から各ミスト絞り穴１２１内に噴射された高圧及び乱流の液体は、各ミスト絞り穴１２１の出口部分を通過する際、減圧による気泡析出と、噴射の際に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
また、液体は、各ミストガイド１２４の円錐上面１２４Ａにおいて、相互に対向する第１及び第２ミスト流路δ１，δ２から各ミスト絞り穴１２１内に噴射されて、衝突されて、十分な気泡を混入したミスト状の液滴となる。気泡を混入したミスト状の液滴は、各ミスト絞り穴１２１から噴射される。各ミスト絞り穴１２１は、気泡を混入したミスト状の液滴を外部に噴射する。
これにより、ミスト発生手段５は、流出路１０から流出された液体から気泡を混入したミスト状の液滴にする。
【０１８９】
このように、シャワーベッドＸは、切替ハンドル２１を角度：９０度の範囲で正逆回転することで、シャワー位置Ｐ１又はミスト位置Ｐ２になる。
このとき、切替ベース２２の各ベース突起５９，６０、及び切替弁体２７の第１及び第２ハンドル規制突部８３，８５は、図４１及び図６５に示すように、切替ハンドル２１の回転を角度：９０度に規制する。
【０１９０】
シャワーヘッドＸは、シャワー位置Ｐ１又はミスト位置Ｐ２に切換えることで、シャワー位置Ｐ１にて気泡混入液体を噴射でき、及びミスト位置Ｐ２にて気泡を混入したミスト状の液滴を噴射できる。
【０１９１】
シャワーベッドＸでは、整流駒板１１６の枚数は、４枚に限定されず、３枚、５枚、６枚、・・・の複数であれば良い。複数の整流駒板１１６は、整流ノズル円板１１４の周方向に等間隔を隔てて、整流ノズル円板１１４に形成する。
【０１９２】
シャワーヘッドＸでは、ミストガイド１２４の渦巻き面は、２面に限定されず、３面、４面、５面、・・・の複数であれば良い。複数の渦巻き面は、ミストガイド１２４の円錐中心線Lを中心する周方向に等間隔を隔てて、ミストガイド１２４（円錐側面１２４Ｃ）に形成する。
【実施例】
【０１９３】
シャワーヘッドＸにおいて、散水ノズル３及び液発生手段４（整流駒１１１及び空気導入路１１２）を使用して、気泡混入液体（気泡混入水）を発生した『シャワー試験』を実施した。
シャワーヘッドＸにおいて、ミスト発生手段５（ミスト絞り穴１２１及びミストガイド１２４）を使用して、ミスト状の液滴（ミスト状の水滴）を発生した『ミスト試験』を実施した。
なお、『シャワー試験』及び『ミスト試験』では、図２６乃至図４１で説明と同様に、流路切替手段２（切替ハンドル２１、切替ベース２２、切替弁座体２５及び切替弁体２７）をシャワー本体１に配置した。
【０１９４】
＜１＞『シャワー試験』
『シャワー試験』は、実施例１、実施例２、実施例３及び比較例１の態様で実施した。
【０１９５】
（１）散水ノズル
「散水ノズル３」は、実施例１、実施例２、実施例３及び比較例１で共通（同一）とした。
【０１９６】
実施例１、実施例２、実施例３及び比較例１の「散水ノズル３」について、図４３乃至図４５を参照して説明する。
実施例１、実施例２、実施例３及び比較例１は、
気泡液噴射穴９８の穴総数：３６個
気泡液噴射穴９８（円錐穴）の穴直径：１．４ｍｍ（板表面９６Ａの開口）
１．８ｍｍ（板裏平面９６Ｂの開口）
円ＣＤの円半径ｒ３：３．５ｍｍ
円ＣＥの円半径ｒ４：６．２ｍｍ
円ＣＦの円半径ｒ５：８．７ｍｍ
円ＣＤ上に配置した気泡液噴射穴９８の穴数：６個
（散水円筒部９７の周方向に等ピッチで配置）
円ＣＥ上に配置した気泡液噴射穴９８の穴数：１２個
（散水円筒部９７の周方向に等ピッチで配置）
円ＣＦ上に配置した気泡液噴射穴９８の穴数：１８個
（散水円筒部９７の周方向に等ピッチで配置）
ハンドル穴３３の小径穴部の内直径ｄ５：６．２ｍｍ
である。
【０１９７】
（２）整流駒
実施例１の「整流駒１１１」について、図４７、図４８及び図６７を参照して説明する。
実施例１の「整流駒１１１」は、
液絞り穴１１７の総穴数：４０個
液絞り穴１１７の穴直径ｄａ：０．６ｍｍ（板表平面１１４Ａの開口）
液絞り穴１１７の穴直径ｄｂ：１．０ｍｍ（板裏平面１１４Ｂの開口）
円ＣＧの円半径ｒ６：４．０ｍｍ
円ＣＨの円半径ｒ７：６．０ｍｍ
円ＣＩの円半径ｒ８：９．０ｍｍ
円ＣＧ上に配置した液絞り穴１１７の穴数：８穴
（各整流駒板１１６の間に２穴、整流ノズル円板１１４の周方向に等ピッチで配置）
円ＣＨ上に配置した液絞り穴１１７の穴数：１２穴
（各整流駒板１１６の間に３穴、整流ノズル円板１１４の周方向に等ピッチで配置）
円ＣＩ上に配置した液絞り穴１１７の穴数：２０穴
（各整流駒板１１６の間に５穴、整流ノズル円板１１４の周方向に等ピッチで配置）
整流駒１１１の駒高さ：８．２ｍｍ
整流駒板１１６の枚数：４枚
（整流ノズル円板１１４の周方向に角度：９０度の等間隔で配置）
整流駒板１１６の板幅ＨＳ：４．０ｍｍ
整流駒板１１６の板長ＬＳ：９．２ｍｍ
整流駒板１１６の板厚ＴＳ：１．４ｍｍ
流れ傾斜面１１８の半径ｒＸ（孤状）：１．０ｍｍ
である。
【０１９８】
実施例２の「整流駒１１１」について、図４７、図４８及び図６８を参照して説明する。
実施例２の「整流駒１１１」は、
液絞り穴１１７の総穴数：４８個
液絞り穴１１７の穴直径ｄａ：０．６ｍｍ（板表平面１１４Ａの開口）
液絞り穴１１７の穴直径ｄｂ：１．０ｍｍ（板裏平面１１４Ｂの開口）
円ＣＧの円半径ｒ６：２．０ｍｍ
円ＣＨの円半径ｒ７：４．０ｍｍ 
円ＣＩの円半径ｒ８：６．０ｍｍ
円ＣＭの円半径ｒ９：９．０ｍｍ
円ＣＧ上に配置した液絞り穴１１７の穴数：４穴
（各整流駒板１１６の間に１穴、整流ノズル円板１１４の周方向に等ピッチで配置）
円ＣＨ上に配置した液絞り穴１１７の穴数：８穴
（各整流駒板１１６の間に２穴、整流ノズル円板１１４の周方向に等ピッチで配置）
円ＣＩ上に配置した液絞り穴１１７の穴数：１６穴
（各整流駒板１１６の間に４穴、整流ノズル円板１１４の周方向に等ピッチで配置）
円ＣＭ上に配置した液絞り穴１１７の穴数：２０穴
（各整流駒板１１６の間に５穴、整流ノズル円板１１４の周方向に等ピッチで配置）
である。
実施例２の「整流駒１１１」は、整流駒１１１の駒高さ、整流駒板１１６の枚数、整流駒板１１６の板幅ＨＳ、整流駒板１１６の板長ＬＳ、整流駒板１１６の板厚ＴＳ、流れ傾斜面１１８の半径ｒＸ（孤状）について、実施例１の「整流駒１１１」と同一である。
【０１９９】
実施例３の「整流駒１１１」について、図４７、図４８及び図６９を参照して説明する。
実施例３の「整流駒１１１」は、
液絞り穴１１７の総穴数：５２個
液絞り穴１１７の穴直径ｄａ：０．６ｍｍ（板表平面１１４Ａの開口）
液絞り穴１１７の穴直径ｄｂ：１．０ｍｍ（板裏平面１１４Ｂの開口）
円ＣＧの円半径ｒ６：２．０ｍｍ
円ＣＨの円半径ｒ７：４．０ｍｍ
円ＣＩの円半径ｒ８：６．０ｍｍ
円ＣＭの円半径ｒ９：９．０ｍｍ
円ＣＧ上に配置した液絞り穴１１７の穴数：４穴
（各整流駒板１１６の間に１穴、整流ノズル円板１１４の周方向に等ピッチで配置）
円ＣＨ上に配置した液絞り穴１１７の穴数：８穴
（各整流駒板１１６の間に２穴、整流ノズル円板１１４の周方向に等ピッチで配置）
円ＣＩ上に配置した液絞り穴１１７の穴数：１６穴
（各整流駒板１１６の間に４穴、整流ノズル円板１１４の周方向に等ピッチで配置）
円ＣＭ上に配置した液絞り穴１１７の穴数：２４穴
（各整流駒板１１６の間に６穴、整流ノズル円板１１４の周方向に等ピッチで配置）
である。
実施例３の「整流駒１１１」は、整流駒１１１の駒高さ、整流駒板１１６の枚数、整流駒板１１６の板幅ＨＳ、整流駒板１１６の板長ＬＳ、整流駒板１１６の板厚ＴＳ、流れ傾斜面１１８の半径ｒＸ（孤状）について、実施例１の「整流駒１１１」と同一である。
【０２００】
比較例１の「整流駒」は、実施例１、実施例１及び実施例３の「整流駒」のように、整流ノズル円板に整流駒板を設けていない、「整流駒板無しの整流駒」である。
比較例１の「整流駒」は、液絞り穴の数穴数、液絞り穴の穴直径、各円ＣＧ〜ＣＩの円半径ｒ６〜ｒ８、及び各円ＣＧ〜ＣＩ上に配置した液絞り穴の穴数は、実施例１と同一とした。
【０２０１】
（３）空気導入路
「空気導入路１１２」は、実施例１、実施例２、実施例３及び比較例１で共通（同一）とした。
実施例１、実施例２、実施例３及び比較例１の「空気導入路１１２」について、図４３及び図４４を参照して説明する。
実施例１、実施例２、実施例３及び比較例１の「空気導入路１１２」は、
空気導入路の穴数：３穴
円ＣＪの円半径：１２．２５ｍｍ
である。
各空気導入路１１２は、円ＣＪ上に配置して、円ＣＪ（散水ノズル３）の周方向に角度：１２０度の等間隔（等ピッチ）を隔てて配置した。
【０２０２】
（４）気泡混入空所、及び混入隙間
実施例１、実施例２、実施例３及び比較例１の「整流駒」は、図５０及び図５１で説明したと同様に、気泡混入空所ＢＲ内（散水円筒部９７内）に挿入して、散水ノズル３に固定した。
【０２０３】
「気泡混入空所ＢＲ」は、実施例１、実施例２、実施例３及び比較例１で共通（同一）とした。
気泡混入空所の穴直径ｄ５：６．２ｍｍ
気泡混入空所の穴長ＬＫ：７．０ｍｍ
である。
【０２０４】
「混入隙間ＧＰ」は、実施例１、実施例２及び実施例３で共通（同一）とした。
混入隙間ＧＰ：２．８ｍｍ
である。
【０２０５】
（５）空気導入路の配置、及び開口寸法
実施例１、実施例２、実施例３及び比較例１の「空気導入路」は、図４４及び図５１で説明したと同様に、整流ノズル円板１１４（板表平面１１４Ａ）に隣接して開口した。
実施例１、実施例２、実施例３及び比較例１の「空気導入路」は、
開口幅ＡＨ：５．０５ｍｍ
開口高さＡＬ：０．８ｍｍ
である。
なお、開口幅は、散水円筒部の周方向の寸法である。開口高さは、散水円筒部の筒中心線の方向の寸法である。
【０２０６】
（６）液体、液体の静液圧（静水圧）及び給液量（給水量）
「液体」、「液体の静液圧（静水圧）」、及び「給液量（給水量）」は、実施例１、実施例２、実施例３及び比較例１で同一である。
実施例１、実施例２、実施例３及び比較例１は、
液体：水道水（水）、
液体（水）の静液圧（静水圧）：０．２ＭＰａ（メガパスカル）
液体（水）の給液量（給水量）：９．２リット／分（毎分、９，２リットル）
である。
実施例１、実施例２、実施例３及び比較例１では、「静水圧」：０．２ＭＰａ及び「給水量」：９．２リット／分の水道水を流入路に流入して、各気泡液噴射穴から噴射した。
【０２０７】
（７）気泡数量の測定
『シャワー試験』は、各気泡液噴射穴から気泡混入水を噴射して、気泡混入水に混入された気泡数量を測定した。
【０２０８】
実施例１では、気泡混入水：８リット／分、１０リット／分について、マイクロ単位の気泡（マイクロバブル）、及びナノ単位の気泡（ウルトラファンバブル）の気泡数量（バブル数量）を測定した。
実施例２では、気泡混入水：１０リット／分について、マイクロバブル及びウルトラファインバブルの気泡数量（バブル数量）を測定した。
実施例３では、気泡混入水：１０リット／分について、マイクロバブル及びウルトラファインバブルの気泡数量（バブル数量）を測定した。
比較例１では、気泡混入水：１０リットル／分について、マイクロバブル及びウルトラファインバブルの気泡数量（バブル数量）を測定した。
【０２０９】
実施例１、実施例２、実施例３及び比較例１では、気泡混入水のミリリットル（ｍｌ）当たりに含まれる気泡数量（バルブ数量）を測定した。
実施例１、実施例２、実施例３及び比較例１では、マイクロバブル総数量、最大マイクロバブル数量となるマイクロバブル直径を測定した。
実施例１、実施例２、実施例３及び比較例１では、ウルトラファインバブル総数量、及び最大ウルトラファインバブル数量となるウルトラファインバブル直径を測定した。
実施例１では、最小マイクロバブル直径、及び最小マイクロバブル直径となるマイクロバブル数量を測定した。
【０２１０】
実施例１、実施例２、実施例３及び比較例１について、マイクロバブルの測定結果を「表１」に示す。
【０２１１】
【表１】
2020010962.tif 000003
【０２１２】
実施例１では、最小マイクロバブル直径：４．４４マイクロメートル（μｍ）であって、最小マイクロバブル数量：１２００個／ミリリットルである。
【０２１３】
実施例１は、「表１」に示すように、１０リットル／分において、最大数量のマイクロバブル直径：２８．６７マイクロメートル（μｍ）、最大マイクロバブル数量：６０６０個／ミリリットル、マイクロバブル総数量：８４９２個／ミリリットルである。
実施例１は、「表１」に示すように、８リットル／分において、最大数量のマイクロバブル最大直径：２９．１２マイクロメートル（μｍ）、最大マイクロバブル数量：３９１８個／ミリリットル、マイクロバブル総数量：４６３４個／ミリリットルである。
実施例２は、「表１」に示すように、最大数量のマイクロバブル直径：２７．９２マイクロメートル（μｍ）、最大マイクロバブル数量：２６５３個／ミリリットル、マイクロバブル総数量：３５０９個／ミリリットルである。
実施例３は、「表１」に示すように、最大数量のマイクロバブル直径：２７．９２マイクロメール（μｍ）、最大マイクロバブル数量：４７０７個／ミリリットル、最大マイクロバブル数量：４７０７個／ミリリットル、マイクロバブル総数量：６０２３個／ミリリットルである。
比較例１は、「表１」に示すように、最大数量のマイクロバブル直径：７．１９マイクロメール（μｍ）、最大マイクロバブル数量：５９５個／ミリリットル、マイクロバブル総数量：１７２２個／ミリリットルである。
実施例１、実施例２及び実施例３では、比較例１と比較して、最大マイクロバブル数量となるマイクルバルブ直径を大径にできる。
実施例１、実施例２及び実施例３では、比較例１と比較して、十分な最大数量のマイクロバブルを水（液体）に混入できる。特に、実施例１は、１０リットル／分において、最大数量のマイクロバブル直径：２８．６７マイクロメートル（μｍ）、最大マイクロバブル数量：６０６０個／ミリリットルであって、実施例２、実施例３及び比較例１と比較して、十分な最大数量のマイクロバブルを水（液体）に混入でき、顕著な効果が期待できる。
実施例１、実施例２及び実施例３では、比較例１と比較して、十分なマイクロバブルを水（液体）に混入できる。
これにより、実施例１、実施例２及び実施例３の「整流駒」のように、整流ノズル円板１１４に複数の整流駒板１１６を設けることで、十分なマイクロバブルを水（液）に混入できる。
【０２１４】
実施例１、実施例２、実施例３及び比較例１について、ウルトラファインバブルの測定結果を「表２」に示す。
【０２１５】
【表２】
2020010962.tif 000004
【０２１６】
実施例１は、「表２」に示すように、１０リットル／分において、最大数量のウルトラファインバブル直径：９８ナノメートル（ｎｍ）、最大ウルトラファインバブル数量：１４万個／ミリリットル、ウルトラファインバブル総数量：２７００万個／ミリリットルである。
実施例１は、「表２」に示すように、８リットル／分において、最大数量のウルトラファインバブル直径：１３６．９ナノメートル（ｎｍ）、最大ウルトラファインバブル数量：７３万個／ミリリットル、ウルトラファインバブル総数量：１３００万個／ミリリットルである。
実施例２は、「表２」に示すように、最大数量のウルトラファインバブル直径：１３４．５ナノメートル（ｎｍ）、最大ウルトラファインバブル数量：２９万個／ミリリットル、ウルトラファインバブル総数量：５４０万個／ミリリットルである。
実施例３は、「表２」に示すように、最大数量のウルトラファインバブル直径：１２８．８ナノメートル（ｎｍ）、最大ウルトラファインバブル数量：１６万個／ミリリットル、ウルトラファインバブル総数量：３８０万個／ミリリットルである。
比較例１は、「表２」に示すように、最大数量のウルトラファインバブル直径：１５０．８ナノメートル（ｎｍ）、最大ウルトラファインバブル数量：４４万個／ミリリットル、ウルトラファインバブル総数量：６５０万個／ミリリットルである。
実施例１、実施例２及び実施例３では、最大数量のウルトラファインバブル直径：９０〜１３６．９ナノメートル、最大ウルトラファインバブル数量：１４万個〜７３万個／ミリリットルであって、十分な最大数量のウルトラファインバブルを水（液体）に混入できる。
実施例１、実施例２及び実施例３では、ウルトラファインバブル総数量：７３万個〜２７００万個／ミリリットルであって、十分なウルトラファインバブルを水（液体）に混入できる。
特に、実施例１では、実施例２、実施例３及び比較例１と比較して、十分な最大数量のウルトラファインバブルを水（液体）に混入できる。
実施例１では、実施例２、実施例３及び比較例１と比較して、十分なウルトラファインバブル総数量のウルトラファインバブルを水（液体）に混入できる。
【０２１７】
＜２＞『ミスト試験』
ミスト試験は、実施例４及び比較例２の態様で実施した。
【０２１８】
（１）ミスト絞り穴
「ミスト絞り穴」は、実施例４及び比較例２で共通（同一）とした。
実施例４及び比較例２の「ミスト絞り穴１２１（円錐穴）」について、図４３及び図４４を参照して説明する。
実施例４の「ミスト絞り穴１２１」は、
ミスト絞り穴１２１の穴数：１２穴
円ＣＫの円半径：１８．４ｍｍ
ミスト絞り穴１２１の穴直径ｄＭ：０．９６ｍｍ（板表面９６Ａの開口）
ミスト絞り穴１２１の穴直径ｄＦ：４．０ｍｍ（板裏平面９６Ｂの開口）
ミスト絞り穴１２１の穴長：５．８ｍｍ
である。
各ミスト絞り穴１２１は、円ＣＫ上に配置して、円ＣＫ（散水ノズル３）の周方向に角度：３０度の等間隔（等ピッチ）を隔てて配置した。
【０２１９】
（２）ミストガイド（円錐渦巻き）、及びガイドリング
実施例４の「ミストガイド１２４」について、図５２乃至図５５を参照して説明する。
実施例４の「ミストガイド１２４」は、
ミストガイド数：１２個
渦巻き面の面数：２面（第１及び第２渦巻き面）
ガイド高さＧＬ：３．５ｍｍ
最大底幅ＧＨ：８．９５ｍｍ
ガイドリング１２３の円ＣＬのリング直径Ｄ８：１８．４ｍｍ
である。
各ミストガイド１２４は、円錐中心線Ｌを円ＣＬに位置して、ガイドリング１２３に一体に形成した。各ミストガイド１２４は、円ＣＬの周方向に角度：３０度の等間隔を隔てて、ガイドリング１２３上に配置した。
各ミストガイド１２４は、円錐上面１２４Ａから各ミスト絞り穴１２１に挿入して、円錐側面１２４Ｃ及びミスト絞り穴１２１の円錐内周面１２１Ａの間に隙間を隔てて、各ミスト絞り穴１２１内に装着した。
これにより、各ミストガイド１２４を散水ノズル３（散水ノズル板９６）に装着して、第１及び第２渦巻き面１２７，１２８及び各ミスト絞り穴１２１の円錐内周面１２１Ａの間に、第１及び第２ミスト流路δ１，δ２を形成した。
【０２２０】
比較例２は、各ミスト絞り穴内にミストガイドを挿入しない、「ミストガイド無し」のミスト発生手段である。
【０２２１】
（３）液体、液体の静液圧（静水圧）、及び給液量（給水量）
実施例４及び比較例２は、
液体：水道水（水）
液体（水）の静液圧（静水圧）：０．２ＭＰａ（メガパスカル）
液体（水）の給液量（給水量）：７．４リット／分（毎分、７，４リットル）
である。
実施例４及び比較例２では、「静水圧」：０．２ＭＰａ及び「給水量」：７．４リット／分の水道水を流入路に流入して、各ミスト絞り穴から噴射した。
【０２２２】
（４）気泡数量の測定
『ミスト試験』では、各ミスト絞り穴から噴射したミスト状の水滴（液滴）に混入された気泡数量を測定した。
【０２２３】
実施例４及び比較例２では、ミスト状の水滴：４リットル／分について、マイクロ単位の気泡（マイクロバブル）、及びナノ単位の気泡（ウルトラファインバブル）の総数量を測定した。
実施例４及び比較例２では、ミスト状の水滴のミリリットル（ｍｌ）当たりに含まれる気泡数量（バブル数量）を測定した。
実施例４及び比較例２では、ウルトラファインバブル総数量、及び最大ウルトラファインバブル数量となるウルトラファインバブル直径を測定した。
【０２２４】
実施例４及び比較例２について、マイクロバブルの測定結果を「表３」に示す。
【０２２５】
【表３】
2020010962.tif 000005
【０２２６】
実施例４では、「表３」に示すように、最大数量のマイクロバブル直径：１１．５２マイクロメートル、最大マイクロバブル数量：２１０７９個／ミリリットル、マイクロバブル総数量：２７０２２個／ミリリットルである。
比較例２は、「表３」に示すように、最大数量のマイクロバブル直径：３．２４マイクロメートル、最大マイクロバブル数量：１６８０個／ミリリットル、マイクロバブル総数量：２６３７個／ミリリットルである。
実施例４では、比較例２と比較して、十分な最大数量のマイクロバブルをミスト状の水滴（液滴）に混入できる。
実施例４では、比較例２と比較して、十分なマイクロバブル総数量のマイクロバブルをミスト状の水滴（液滴）に混入できる。
これにより、『ミスト試験』では、各ミスト絞り穴内に円錐渦巻き状（円錐台渦巻き状）のミストガイドを装着することで、十分なマイクロバブルをミスト状の水滴（液滴）に混入できる。
【０２２７】
実施例４及び比較例２について、ウルトラファインバブルの計測結果を「表４」に示す。
【０２２８】
【表４】
2020010962.tif 000006
【０２２９】
実施例４では、「表４」に示すように、最大数量のウルトラファインバブル直径：１２４．１ナノメートル、最大ウルトラファインバブル数量：７１万個／ミリリットル、ウルトラファインバブル総数量：１４００万個／ミリリットルである。
比較例２は、「表４」に示すように、最大数量のウルトラファインバブル直径：１２８．１ナノメートル、最大ウルトラファインバブル数量：３６万個／ミリリットル、ウルトラファインバブル総数量：６６０万個／ミリリットルである。
実施例４では、比較例２と比較して、十分な最大数量のウルトラファインバブルをミスト状の水滴（液滴）に混入できる。
実施例４では、比較例２と比較して、十分なウルトラファインバブル総数量のウルトラファインバブルをミスト状の水滴（液滴）に混入できる。
【産業上の利用可能性】
【０２３０】
本発明は、気泡混入液体、ミスト状の液滴を噴射するのに最適である。
【符号の説明】
【０２３１】
Ｘ  シャワーヘッド
１  シャワー本体
２  流路切替手段
３  散水ノズル
４  気泡液発生手段
５  ミスト発生手段
９  流入路
１０  流出路
９６  散水ノズル板
９７  散水円筒部
９８  気泡液噴射穴
１１１  整流駒
１１２  空気導入路
１１４  整流ノズル円板
１１６  整流駒板
１１７  液絞り穴
ＢＲ  空気混入空所
ＧＰ  混入隙間
【図１】
2020010962.tif 000007
【図２】
2020010962.tif 000008
【図３】
2020010962.tif 000009
【図４】
2020010962.tif 000010
【図５】
2020010962.tif 000011
【図６】
2020010962.tif 000012
【図７】
2020010962.tif 000013
【図８】
2020010962.tif 000014
【図９】
2020010962.tif 000015
【図１０】
2020010962.tif 000016
【図１１】
2020010962.tif 000017
【図１２】
2020010962.tif 000018
【図１３】
2020010962.tif 000019
【図１４】
2020010962.tif 000020
【図１５】
2020010962.tif 000021
【図１６】
2020010962.tif 000022
【図１７】
2020010962.tif 000023
【図１８】
2020010962.tif 000024
【図１９】
2020010962.tif 000025
【図２０】
2020010962.tif 000026
【図２１】
2020010962.tif 000027
【図２２】
2020010962.tif 000028
【図２３】
2020010962.tif 000029
【図２４】
2020010962.tif 000030
【図２５】
2020010962.tif 000031
【図２６】
2020010962.tif 000032
【図２７】
2020010962.tif 000033
【図２８】
2020010962.tif 000034
【図２９】
2020010962.tif 000035
【図３０】
2020010962.tif 000036
【図３１】
2020010962.tif 000037
【図３２】
2020010962.tif 000038
【図３３】
2020010962.tif 000039
【図３４】
2020010962.tif 000040
【図３５】
2020010962.tif 000041
【図３６】
2020010962.tif 000042
【図３７】
2020010962.tif 000043
【図３８】
2020010962.tif 000044
【図３９】
2020010962.tif 000045
【図４０】
2020010962.tif 000046
【図４１】
2020010962.tif 000047
【図４２】
2020010962.tif 000048
【図４３】
2020010962.tif 000049
【図４４】
2020010962.tif 000050
【図４５】
2020010962.tif 000051
【図４６】
2020010962.tif 000052
【図４７】
2020010962.tif 000053
【図４８】
2020010962.tif 000054
【図４９】
2020010962.tif 000055
【図５０】
2020010962.tif 000056
【図５１】
2020010962.tif 000057
【図５２】
2020010962.tif 000058
【図５３】
2020010962.tif 000059
【図５４】
2020010962.tif 000060
【図５５】
2020010962.tif 000061
【図５６】
2020010962.tif 000062
【図５７】
2020010962.tif 000063
【図５８】
2020010962.tif 000064
【図５９】
2020010962.tif 000065
【図６０】
2020010962.tif 000066
【図６１】
2020010962.tif 000067
【図６２】
2020010962.tif 000068
【図６３】
2020010962.tif 000069
【図６４】
2020010962.tif 000070
【図６５】
2020010962.tif 000071
【図６６】
2020010962.tif 000072
【図６７】
2020010962.tif 000073
【図６８】
2020010962.tif 000074
【図６９】
2020010962.tif 000075
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
一端に開口され、液体が流入される流入路、及び他端に開口され、前記流入路から流入される前記液体を流出する流出路を有するシャワー本体と、
前記シャワー本体の他端に取付けられ、散水ノズル板、一方の筒端を前記散水ノズル板で閉塞して前記流出路側に突出され、前記流出路から流出された前記液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、
前記液体に空気を混入して気泡混入液体を発生する気泡発生ユニットと、を含んで構成され、
前記気泡発生ユニットは、
前記散水円筒部の前記気泡混入空所内に配置される整流駒と、
前記散水ノズルに形成され、前記気泡混入空所内に空気を流入する複数の空気導入路と、を備え、
前記整流駒は、
前記散水ノズル板に間隔を隔てて前記気泡混入空所内に配置され、他方の筒端を閉塞して前記散水円筒部に固定される整流ノズル円板と、
前記整流ノズル円板に形成され、前記散水ノズル板及び前記整流ノズル円板の間の前記気泡混入空所内に配置される複数の整流駒板と、
前記各整流駒板の間の前記整流ノズル円板に形成され、前記流出路から流出された前記液体を前記気泡混入空所内に噴射する複数の液絞り穴と、
を備え、
前記各液絞り穴は、
穴中心線を前記散水円筒部の筒中心線と平行に配置して、前記整流ノズル円板を貫通し、
前記整流駒板は、
前記整流ノズル円板から前記散水ノズルに向けて突出され、前記散水ノズル板に混入隙間を隔てて配置され、
前記整流ノズル円板の板中心線から前記散水円筒部に延在され、
前記散水ノズルに向けて突出する突出端側で前記液絞り穴から噴射される液体を乱流にして前記混入隙間に流出し、
前記各空気導入路は、
前記散水ノズルに開口され、
前記各整流駒板の突出端及び前記整流ノズル円板の間において、前記散水円筒部の筒中心線と直交する方向から前記散水円筒部を貫通して、前記気泡混入空所内に開口される
ことを特徴とするシャワーヘッド。
【請求項２】
前記各整流駒板は、
前記整流ノズル円板の周方向に等間隔を隔てて配置される
ことを特徴とする請求項１に記載のシャワーヘッド。
【請求項３】
前記整流駒は、
４つの前記整流駒板を備え、
４つの前記各整流駒板は、
前記整流ノズル円板の周方向に等間隔を隔てて配置される
ことを特徴とする請求項１に記載のシャワーヘッド。
【請求項４】
前記各整流駒板は、
矩形状に形成され、
前記整流ノズル円板の周方向に板厚を隔てて平行する矩形状の各整流板平面と、
前記各整流駒板の前記突出端から一方の前記整流板平面、及び前記整流ノズル円板に向けて延在されつつ傾斜される流れ傾斜面と、
を有する
ことを特徴とする請求項１乃至請求項３の何れかに記載のシャワーヘッド。
【請求項５】
前記各液絞り穴は、
前記整流ノズル円板の板中心線を中心として、円半径の異なる複数の円上に等間隔で複数配置される
ことを特徴とする請求項１乃至請求項４の何れかに記載のシャワーヘッド。
【請求項６】
前記各空気導入路は、
前記散水円筒部の周方向に等間隔を隔てて配置される
ことを特徴とする請求項１乃至請求項５の何れかに記載のシャワーヘッド。
【請求項７】
前記各空気導入路は、
前記整流ノズル円板に隣接して、前記気泡混入空所内に開口される
ことを特徴とする請求項１乃至請求項６の何れかに記載のシャワーヘッド。
【請求項８】
前記気泡発生ユニット及び前記流出路の間、及び前記シャワー本体の前記流出路内に配置される流路切替手段と、
前記各気泡液噴射穴の外側の前記散水ノズル板に配置され、前記流路切替手段を通して流入される前記液体をミスト状の液滴にするミスト発生手段と、を備え、
前記ミスト発生手段は、
前記各気泡液噴射穴の外側の前記散水ノズル板を貫通して、前記散水ノズル板及び前記流路切替手段の間に開口される複数のミスト絞り穴と、
円錐渦巻き状に形成され、同一渦巻き状の複数の渦巻き面を有する複数のミストガイドと、を備え、
前記各ミスト絞り穴は、
前記流出路側から縮径しつつ前記散水ノズル板を貫通する円錐穴に形成され、
前記各渦巻き面は、
前記ミストガイドの円錐側面に交差して円錐底平面及び円錐上面の間に配置され、
前記円錐底平面から前記円錐上面に向けて縮径しつつ渦巻き状に形成され、
前記各ミストガイドは、
前記円錐側面及び前記ミスト絞り穴の円錐内周面の間に隙間を隔てて、前記円錐上面から前記各ミスト絞り穴内に挿入され、
前記各渦巻き面及び前記円錐内周面の間に、渦巻き状の複数のミスト流路を形成して、前記各ミスト絞り穴内に装着され、
前記各ミスト流路は、
前記ミスト絞り穴内に開口され、前記散水ノズル及び前記流路切替手段の間に開口され、
前記流路切替手段は、
前記各液絞り穴及び前記流出路を接続し、又は前記各ミスト絞り穴及び前記流出路を接続する
ことを特徴とする請求項１乃至請求項７の何れかに記載のシャワーヘッド。
【請求項９】
前記ミスト発生手段は、
円錐渦巻き状に形成され、同一渦巻き状の第１及び第２渦巻き面を有する複数のミストガイドを備え、
前記第１及び第２渦巻き面は、
前記ミストガイドの円錐側面に交差して前記円錐底平面及び前記円錐上面の間に配置され、
前記ミストガイドの円錐中心線を対称点として点対称に配置され、
前記円錐底平面から前記円錐上面に向けて縮径しつつ渦巻き状に形成され、
前記各ミストガイドは、
前記円錐側面及び前記ミスト絞り穴の円錐内周面の間に隙間を隔てて、前記円錐上面から前記各ミスト絞り穴内に挿入され、
前記第１及び第２渦巻き面及び前記円錐内周面の間に、渦巻き状の第１及び第２ミスト流路を形成し、
前記第１及び第２ミスト流路は、
前記ミスト絞り穴内に開口され、前記散水ノズル及び前記流路切替手段の間に開口される
ことを特徴とする請求項８に記載のシャワーヘッド。
【請求項１０】
前記各ミスト絞り穴は、
前記散水円筒部の筒中心線を中心として、前記各気泡液噴射穴の外側に位置する円上に等間隔を隔てて配置される
ことを特徴とする請求項８及び請求項９の何れかに記載のシャワーヘッド。
【請求項１１】
前記ミスト発生手段は、
前記各ミスト絞り穴を配置した円と同一の円半径のガイドリングを備え、
前記各ミストガイドは、
前記ガイドリングの周方向に等間隔を隔てて配置され、
前記円錐底平面を前記ガイドリング上に当接して、前記ガイドリングに一体に固定され、
前記ガイドリングは、
他方の筒端から前記散水円筒部に外嵌されて、前記各気泡液噴射穴の外側に配置され、
前記各ミストガイドの前記各ミスト絞り穴内への挿入に伴って、前記流出路側から前記散水ノズル板に当接される
ことを特徴とする請求項１０に記載のシャワーヘッド。
【請求項１２】
散水ノズル板、一方の筒端を前記散水ノズルで閉塞して流出路側に突出され、流出路から流出された液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、
前記液体に空気を混入して気泡混入液体を発生する気泡発生ユニットと、を含んで構成され、
前記散水ノズルの前記気泡混入空所内に配置される整流駒と、
前記散水ノズルに形成され、前記気泡混入空所内に空気を流入する複数の空気導入路と、
を備え、
前記整流駒は、
前記散水ノズル板に間隔を隔てて前記気泡混入空所内に配置され、他方の筒端を閉塞して前記散水円筒部に固定される整流ノズル円板と、
前記整流ノズル円板に形成され、前記散水ノズル板及び整流ノズル円板の間の前記気泡混入空所内に配置される複数の整流駒板と、
前記各整流駒板の間の前記整流ノズル円板に形成され、前記流出路から流出された前記液体を前記気泡混入空所内に噴射する複数の液絞り穴と、
を備え、
前記各液絞り穴は、
穴中心線を前記散水円筒部の筒中心線と平行に配置して、前記整流ノズル円板を貫通し、
前記整流駒板は、
前記整流ノズル円板から前記散水ノズルに向けて突出され、前記散水ノズル板に混入隙間を隔てて配置され、
前記整流ノズル円板の板中心線から前記散水円筒部に延在され、
前記散水ノズルに向けて突出する突出端側で前記液絞り穴から噴射される液体を乱流にして前記混入隙間に流出し、
前記各空気導入路は、
前記散水ノズルに開口され、
前記各整流駒板の突出端及び前記整流ノズル円板の間において、前記散水円筒部の筒中心線と直交する方向から前記散水円筒部を貫通して、前記気泡混入空所内に開口される
ことを特徴とする気泡発生ユニット。
【手続補正３】
【補正対象書類名】明細書
【補正対象項目名】０００６
【補正方法】変更
【補正の内容】
【０００６】
本発明に係る請求項１は、一端に開口され、液体が流入される流入路、及び他端に開口され、前記流入路から流入される前記液体を流出する流出路を有するシャワー本体と、前記シャワー本体の他端に取付けられ、散水ノズル板、一方の筒端を前記散水ノズル板で閉塞して前記流出路側に突出され、前記流出路から流出された前記液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、前記液体に空気を混入して気泡混入液体を発生する気泡発生ユニットと、を含んで構成され、前記気泡発生ユニットは、前記散水円筒部の前記気泡混入空所内に配置される整流駒と、前記散水ノズルに形成され、前記気泡混入空所内に空気を流入する複数の空気導入路と、を備え、前記整流駒は、前記散水ノズル板に間隔を隔てて前記気泡混入空所内に配置され、他方の筒端を閉塞して前記散水円筒部に固定される整流ノズル円板と、前記整流ノズル円板に形成され、前記散水ノズル板及び前記整流ノズル円板の間の前記気泡混入空所内に配置される複数の整流駒板と、前記各整流駒板の間の前記整流ノズル円板に形成され、前記流出路から流出された前記液体を前記気泡混入空所内に噴射する複数の液絞り穴と、を備え、前記各液絞り穴は、穴中心線を前記散水円筒部の筒中心線と平行に配置して、前記整流ノズル円板を貫通し、前記整流駒板は、前記整流ノズル円板から前記散水ノズルに向けて突出され、前記散水ノズル板に混入隙間を隔てて配置され、前記整流ノズル円板の板中心線から前記散水円筒部に延在され、前記散水ノズルに向けて突出する突出端側で前記液絞り穴から噴射される液体を乱流にして前記混入隙間に流出し、前記各空気導入路は、
前記散水ノズルに開口され、前記各整流駒板の突出端及び前記整流ノズル円板の間において、前記散水円筒部の筒中心線と直交する方向から前記散水円筒部を貫通して、前記気泡混入空所内に開口されることを特徴とするシャワーヘッドである。
【手続補正４】
【補正対象書類名】明細書
【補正対象項目名】０００９
【補正方法】変更
【補正の内容】
【０００９】
本発明に係る請求項４は、前記各整流駒板は、矩形状に形成され、前記整流ノズル円板の周方向に板厚を隔てて平行する矩形状の各整流板平面と、前記各整流駒板の前記突出端から一方の前記整流板平面、及び前記整流ノズル円板に向けて延在されつつ傾斜される流れ傾斜面と、を有することを特徴とする請求項１乃至請求項３の何れかに記載のシャワーヘッドである。
【手続補正５】
【補正対象書類名】明細書
【補正対象項目名】００１３
【補正方法】変更
【補正の内容】
【００１３】
本発明に係る請求項８は、前記気泡発生ユニット及び前記流出路の間、及び前記シャワー本体の前記流出路内に配置される流路切替手段と、前記各気泡液噴射穴の外側の前記散水ノズル板に配置され、前記流路切替手段を通して流入される前記液体をミスト状の液滴にするミスト発生ユニットと、を備え、前記ミスト発生手段は、前記各気泡液噴射穴の外側の前記散水ノズル板を貫通して、前記散水ノズル板及び前記流路切替手段の間に開口される複数のミスト絞り穴と、円錐渦巻き状に形成され、同一渦巻き状の複数の渦巻き面を有する複数のミストガイドと、を備え、前記各ミスト絞り穴は、前記流出路側から縮径しつつ前記散水ノズル板を貫通する円錐穴に形成され、前記各渦巻き面は、前記ミストガイドの円錐側面に交差して円錐底平面及び円錐上面の間に配置され、前記円錐底平面から前記円錐上面に向けて縮径しつつ渦巻き状に形成され、前記各ミストガイドは、前記円錐側面及び前記ミスト絞り穴の円錐内周面の間に隙間を隔てて、前記円錐上面から前記各ミスト絞り穴内に挿入され、前記各渦巻き面及び前記円錐内周面の間に、渦巻き状の複数のミスト流路を形成して、前記各ミスト絞り穴内に装着され、前記各ミスト流路は、前記ミスト絞り穴内に開口され、前記散水ノズル及び前記流路切替手段の間に開口され、前記流路切替手段は、前記各液絞り穴及び前記流出路を接続し、又は前記各ミスト絞り穴及び前記流出路を接続することを特徴とする請求項１乃至請求項７の何れかに記載のシャワーヘッドである。
【手続補正６】
【補正対象書類名】明細書
【補正対象項目名】００１６
【補正方法】変更
【補正の内容】
【００１６】
本発明に係る請求項１１は、前記ミスト発生手段は、前記各ミスト絞り穴を配置した円と同一の円半径のガイドリングを備え、前記各ミストガイドは、前記ガイドリングの周方向に等間隔を隔てて配置され、前記円錐底平面を前記ガイドリング上に当接して、前記ガイドリングに一体に固定され、前記ガイドリングは、他方の筒端から前記散水円筒部に外嵌されて、前記各気泡液噴射穴の外側に配置され、前記各ミストガイドの前記各ミスト絞り穴内への挿入に伴って、前記流出路側から前記散水ノズル板に当接されることを特徴とする請求項１０に記載のシャワーヘッドである。
【手続補正７】
【補正対象書類名】明細書
【補正対象項目名】００１７
【補正方法】変更
【補正の内容】
【００１７】
本発明に係る請求項１２は、散水ノズル板、一方の筒端を前記散水ノズルで閉塞して流出路側に突出され、流出路から流出された液体が他方の筒端から流入される気泡混入空所を形成する散水円筒部、前記気泡混入空所に開口して前記散水ノズル板に形成され、前記気泡混入空所から気泡混入液体を噴射する複数の気泡液噴射穴を有する散水ノズルと、前記液体に空気を混入して気泡混入液体を発生する気泡発生ユニットと、を含んで構成され、前記散水ノズルの前記気泡混入空所内に配置される整流駒と、前記散水ノズルに形成され、前記気泡混入空所内に空気を流入する複数の空気導入路と、を備え、前記整流駒は、前記散水ノズル板に間隔を隔てて前記気泡混入空所内に配置され、他方の筒端を閉塞して前記散水円筒部に固定される整流ノズル円板と、前記整流ノズル円板に形成され、前記散水ノズル板及び整流ノズル円板の間の前記気泡混入空所内に配置される複数の整流駒板と、前記各整流駒板の間の前記整流ノズル円板に形成され、前記流出路から流出された前記液体を前記気泡混入空所内に噴射する複数の液絞り穴と、を備え、前記各液絞り穴は、穴中心線を前記散水円筒部の筒中心線と平行に配置して、前記整流ノズル円板を貫通し、前記整流駒板は、前記整流ノズル円板から前記散水ノズルに向けて突出され、前記散水ノズル板に混入隙間を隔てて配置され、前記整流ノズル円板の板中心線から前記散水円筒部に延在され、前記散水ノズルに向けて突出する突出端側で前記液絞り穴から噴射される液体を乱流にして前記混入隙間に流出し、前記各空気導入路は、前記散水ノズルに開口され、前記各整流駒板の突出端及び前記整流ノズル円板の間において、前記散水円筒部の筒中心線と直交する方向から前記散水円筒部を貫通して、前記気泡混入空所内に開口されることを特徴とする気泡発生ユニットである。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
本発明に係る請求項１では、シャワー本体の一端から液体を流入路に流入し、流入路から流出路に液体を流入する。液体は、流出路から整流駒の各液絞り穴内に流出される。各液絞り穴は、流出路から流出された液体を気泡混入空所内に噴射する。各液絞り穴は、液体を散水ノズル板に向けて気泡混入空所内に噴射する。液体は、気泡混入空所内（散水円筒部内）において、散水円筒部の筒中心線と平行な流れ（整流）にて散水ノズル及び整流ノズル円板の間に噴射される。
気泡混入空所に液体を噴射すると、液体の流れによって、各空気導入路から空気が気泡混入空所内に導入される。空気は、各整流駒板の突出端及び整流ノズル円板の間の気泡混入空所内に流出（噴射）される。空気は、気泡混入空所内において、各整流駒板の間に流入（噴射）される。
各液絞り穴から噴射される液体、及び各空気導入路から流出（噴射）される空気は、気泡混入空所内にて混合される。気泡混入空所内において、液体及び空気は、各整流駒板の突出端側にて乱流となり、各整流駒板及び散水ノズル板の間の混入隙間に流出される。
これにより、気泡混入空所内の混入隙間において、液体に混合された空気は乱流によって、マイクロ単位の気泡（マイクロバブル）、及びナノ単位の気泡（ウルトラファインバブル）に粉砕（剪断）される。
マイクロ単位の気泡（マイクロバブル）及びナノ単位の気泡（ウルトラファインバブル）は、液体に混入及び溶け込む。
マイクロ単位の気泡（マイクロバブル）及びナノ単位の気泡（ウルトラファインバブル）の混入した気泡混入液体は、各気泡液噴射穴から外部に噴射される。
このように、請求項１では、整流駒の各液絞り穴、各整流駒板、及び各空気導入路によって、十分なマイクロ単位及びナノ単位の気泡（マイクロバブル、ウルトラファインバブル）を液体に混入、溶け込ませることができる。
なお、国際標準化機構（ＩＳＯ）の国際規格「ＩＳＯ２０４８０−１」には、１マイクロメート以上〜１００マイクロメートル（μｍ）未満の気泡を「マイクロバブル」、１マイクロメートル未満の気泡を「ウルトラファインバブル」と定めている（以下、同様）。
【手続補正１０】
【補正対象書類名】明細書
【補正対象項目名】００３０
【補正方法】変更
【補正の内容】
【００３０】
本発明では、シャワー本体の一端から液体を流入路に流入し、流入路から流出路に液体を流入する。液体は、流出路から各ミスト絞り穴内に流出される。液体は、各ミスト絞り穴内において、渦巻き状の各ミスト流路を流れ、各ミスト絞り穴内に流出される。更に各ミスト絞り穴内からミスト状の液滴を外部に噴射する。
液体は、渦巻き状の各ミスト流路を流れることによって昇圧されて、各ミスト流路から各ミスト絞り穴内に噴射される。これにより、各ミスト流路から各ミスト絞り穴内に噴射される液体は、高圧で乱流となる。また、各ミスト絞り穴からミスト状の液滴が噴射されると、各ミスト絞り穴の出口側（ミスト状の液滴を噴射した側）で負圧状態になる。
各ミスト絞り穴の出口側を負圧状態にすることで、各ミスト流路から各ミスト絞り穴内に噴射された高圧及び乱流の液体は、各ミスト絞り穴の出口部分を通過する際、減圧による気泡析出と、噴射の最に巻き込んだ空気が乱流により粉砕（剪断）され、マイクロ単位の気泡（マイクロバブル）及びナノ単位の気泡（ウルトラファインバブル）の混入、溶け込んだミスト状の液滴となる。
気泡の混入したミスト状の液滴は、各ミスト絞り穴から外部に噴射される。
このように、本発明では、各ミストガイド及び各ミスト絞り穴によって、マイクロ単位の気泡（マイクロバブル）及びナノ単位の気泡（ウルトラファインバブル）の混入、溶け込んだミスト状の液滴を外部に噴射できる。
【手続補正１１】
【補正対象書類名】明細書
【補正対象項目名】００３１
【補正方法】変更
【補正の内容】
【００３１】
本発明では、複数の最小のミスト流路（渦巻き面）によって、液体を十分なミスト状の液滴にできる。第１及び第２渦巻き面を点対称に配置することで、第１及び第２ミスト流路は、円錐上面に向けて対向（対峙）して配置される。
これにより、第１及び第２ミスト流路から各ミスト絞り穴内に噴射される高圧状態の液体を円錐上面にて相互に衝突することで、十分なマイクロ単位の気泡（マイクロバブル）及びナノ単位の気泡（ウルトラファインバブル）の混入、溶け込んだミスト状の液滴にできる。